(57)【特許請求の範囲】
【請求項１】
投稿者に操作され記事の内容を示す記事内容情報を発信する記事発信端末と、閲覧者に操作され前記記事内容情報を受信し表示する記事閲覧端末と、前記投稿者と前記閲覧者の間の電話通信を提供する通信サブシステムと、前記記事内容情報を記憶し公開する記事公開装置と、前記記事発信端末と前記記事閲覧端末と前記通信サブシステムと前記記事公開装置に接続される投稿閲覧装置とを備える電話発信システムであって、
前記投稿閲覧装置は、
投稿者に予め付与された識別子、閲覧者に予め付与された識別子、及び記事情報キーワードを組み合わせた関係情報を記憶する関係情報蓄積部と、
前記記事公開装置により公開されている記事内容情報に対する閲覧、コメント、及びトラックバックそれぞれの履歴情報と、前記通信サブシステムを介した通信の履歴とを示す通信履歴情報とを記憶するコミュニケーション履歴蓄積部と、
記事情報を識別する記事識別子と、該記事情報を投稿した投稿者の識別子と、該記事情報の配信先を示す閲覧者の識別子とを含む記事配信先情報を記憶する記事配信先蓄積部と、
前記記事公開装置より履歴情報を取得し、取得した履歴情報を前記コミュニケーション履歴蓄積部に記憶させる履歴取得部と、
前記通信サブシステムより通信履歴情報を取得し、取得した通信履歴情報を前記コミュニケーション履歴蓄積部に記憶させる通信履歴取得部と、
前記コミュニケーション履歴蓄積部に記憶されている履歴情報及び通信履歴情報に基づいて、投稿者の識別子、閲覧者の識別子、及び記事情報キーワードの組み合わせを抽出し、抽出した組み合わせを関係情報として前記関係情報蓄積部に記憶させる関係情報抽出部と、
前記記事発信端末から受信した前記投稿者の識別子と記事内容情報と記事内容の特徴を示す記事情報キーワードとを含む記事情報を受信し当該投稿者の識別子及び当該記事情報キーワードを抽出する記事特徴抽出部と、
前記記事特徴抽出部が抽出した投稿者の識別子及び記事情報キーワードと、前記関係情報蓄積部に記憶されている関係情報とに基づいて、閲覧者の識別子を配信先候補情報として抽出する関係情報取得部と、
前記配信先候補情報を前記記事発信端末へ送信する配信先表示部と、
投稿者の操作により前記配信先候補情報の中から選択された閲覧者の識別子である配信先の情報と、投稿者の識別子と、記事情報とを前記記事発信端末から受信して記事識別子を生成し、生成した記事識別子と、受信した投稿者の識別子と、受信した配信先の情報とを前記記事配信先情報として前記記事配信先蓄積部に記憶させ、生成した記事識別子と、受信した記事情報とを含む投稿記事情報を前記記事公開装置に記憶させる配信部と、
前記記事閲覧端末より閲覧者の識別子を含む記事情報の閲覧要求を受信すると、受信した閲覧者の識別子を含む記事配信先情報を前記記事配信先蓄積部から読み出し、読み出した記事配信先情報に含まれる記事識別子に基づいて前記記事公開装置から記事内容情報を読み出し、読み出した記事内容情報の投稿者と該閲覧者との前記通信サブシステムを介した通信の開始を選択するボタンと、読み出した記事内容情報とを含む出力画面データを前記記事閲覧端末に表示させる出力生成部と、
を備えることを特徴とする電話発信システム。
【請求項２】
投稿者に操作され記事の内容を示す記事内容情報を発信する記事発信端末と、閲覧者に操作され前記記事内容情報を受信し表示する記事閲覧端末と、前記投稿者と前記閲覧者の間の電話通信を提供する通信サブシステムと、前記記事内容情報を記憶し公開する記事公開装置と、前記記事発信端末と前記記事閲覧端末と前記通信サブシステムと前記記事公開装置に接続される投稿閲覧装置とを備える電話発信システムであって、
前記投稿閲覧装置は、
投稿者に予め付与された識別子、閲覧者に予め付与された識別子、記事情報キーワード、及び、該記事情報キーワードに基づいた投稿者と閲覧者との関係の強さを示す強さ情報を組み合わせた関係情報を記憶する関係情報蓄積部と、
前記記事公開装置により公開されている記事内容情報に対する閲覧、コメント、及びトラックバックそれぞれの履歴情報と、前記通信サブシステムを介した通信の履歴とを示す通信履歴情報とを記憶するコミュニケーション履歴蓄積部と、
記事情報を識別する記事識別子と、該記事情報を投稿した投稿者の識別子と、該記事情報の配信先を示す閲覧者の識別子とを含む記事配信先情報を記憶する記事配信先蓄積部と、
前記記事公開装置より履歴情報を取得し、取得した履歴情報を前記コミュニケーション履歴蓄積部に記憶させる履歴取得部と、
前記通信サブシステムより通信履歴情報を取得し、取得した通信履歴情報を前記コミュニケーション履歴蓄積部に記憶させる通信履歴取得部と、
前記コミュニケーション履歴蓄積部に記憶されている履歴情報及び通信履歴情報に基づいて、投稿者の識別子、閲覧者の識別子、記事情報キーワード、及び該記事情報キーワードに基づいた該投稿者と該閲覧者に対する強さ情報の組み合わせを抽出し、抽出した組み合わせを関係情報として前記関係情報蓄積部に記憶させる関係情報抽出部と、
前記記事発信端末から受信した前記投稿者の識別子と記事内容情報と記事内容の特徴を示す記事情報キーワードとを含む記事情報を受信し当該投稿者の識別子及び当該記事情報キーワードを抽出する記事特徴抽出部と、
前記記事特徴抽出部が抽出した投稿者の識別子及び記事情報キーワードと、前記関係情報蓄積部に関係情報として記憶されている投稿者の識別子、記事情報キーワード、及び強さ情報とに基づいて、閲覧者の識別子を配信先候補情報として抽出する関係情報取得部と、
前記配信先候補情報を前記記事発信端末へ送信する配信先表示部と、
投稿者の操作により前記配信先候補情報の中から選択された閲覧者の識別子である配信先の情報と、投稿者の識別子と、記事情報とを前記記事発信端末から受信して記事識別子を生成し、生成した記事識別子と、受信した投稿者の識別子と、受信した配信先の情報とを前記記事配信先情報として前記記事配信先蓄積部に記憶させ、生成した記事識別子と、受信した記事情報とを含む投稿記事情報を前記記事公開装置に記憶させる配信部と、
前記記事閲覧端末より閲覧者の識別子を含む記事情報の閲覧要求を受信すると、受信した閲覧者の識別子を含む記事配信先情報を前記記事配信先蓄積部から読み出し、読み出した記事配信先情報に含まれる記事識別子に基づいて前記記事公開装置から記事内容情報を読み出し、読み出した記事内容情報の投稿者と該閲覧者との前記通信サブシステムを介した通信の開始を選択するボタンと、読み出した記事内容情報とを含む出力画面データを前記記事閲覧端末に表示させる出力生成部と、
を備えることを特徴とする請求項１に記載の電話発信システム。
【請求項３】
前記出力画面データを表示した記事閲覧端末から、前記通信サブシステムを介した通信の開始を要求する情報を受信すると、該記事閲覧端末と、前記記事発信端末との間の通信開始を要求する情報を前記通信サブシステムに送信する通信開始指示部を備える
ことを特徴とする請求項１又は請求項２のいずれかに記載の電話発信システム。
【請求項４】
前記通信履歴取得部は、前記通信履歴情報を前記コミュニケーション履歴蓄積部に記憶させる場合、投稿者と閲覧者との間で、記事情報を契機として行われた前記通信サブシステムを介した通信の履歴を記事情報キーワードと併せて前記通信履歴情報として記憶させる
ことを特徴とする請求項３に記載の電話発信システム。
【請求項５】
前記投稿閲覧装置は、
前記記事公開装置において記事情報の記憶されている場所を示す情報と、該記事情報の記事情報キーワードとが対応付けて記憶されている記事蓄積部を備え、
前記履歴情報には、
記事情報を閲覧した閲覧者の識別子、該記事情報を投稿した投稿者の識別子、及び前記記事公開装置において該記事情報が記憶されている場所を示す情報を含み、閲覧の履歴を示す閲覧履歴情報と、
記事情報に対してコメントをした閲覧者の識別子、該記事情報を投稿した投稿者の識別子、及び前記記事公開装置において該記事情報が記憶されている場所を示す情報を含み、コメントの履歴を示すコメント履歴情報と、
記事情報に対してトラックバックをした閲覧者の識別子、該記事情報を投稿した投稿者の識別子、及び前記記事公開装置において該記事情報が記憶されている場所を示す情報を含み、トラックバックの履歴を示すトラックバック履歴情報と、
が含まれ、
前記通信履歴情報には、発信者を示す閲覧者の識別子、着信者を示す投稿者の識別子、通信の契機になった記事情報に対応する記事情報キーワード、前記通信サブシステムにおける通信時間及び日付を示す情報が含まれ、
前記関係情報抽出部は、前記コミュニケーション履歴蓄積部に記憶されている前記閲覧履歴情報、前記コメント履歴情報、又は前記トラックバック履歴情報と、前記通信履歴情報とから前記関係情報を抽出する場合、閲覧者の識別子、投稿者の識別子、及び記事情報キーワードの組み合わせごとに、閲覧、コメント、及びトラックバックそれぞれに対して予め定められた数値と、前記通信履歴情報に含まれる通信時間に予め定められた数値を乗算して算出された数値とを加算した強さ情報を算出し、更に、前記閲覧履歴情報、前記コメント履歴情報、及び前記トラックバック履歴情報に含まれる記事情報が記憶されている場所を示す情報に対応する記事情報キーワードを前記記事蓄積部から読み出す
ことを特徴とする請求項４に記載の電話発信システム。
【請求項６】
前記履歴取得部は、
前記記事閲覧端末と、前記記事公開装置とから記事情報に対する前記閲覧履歴情報を取得して前記コミュニケーション履歴蓄積部に記憶させる閲覧履歴取得部と、
前記記事公開装置から記事情報に対するコメント履歴情報を取得して前記コミュニケーション履歴蓄積部に記憶させるコメント閲覧取得部と、
前記記事公開装置から記事情報に対するトラックバック履歴情報を取得して前記コミュニケーション履歴蓄積部に記憶させるトラックバック履歴取得部と
を含む
ことを特徴とする請求項５に記載の電話発信システム。
【請求項７】
前記投稿閲覧装置は、
投稿者及び閲覧者の名前を示す情報と投稿者及び閲覧者に予め付与される識別子と前記通信サブシステムにおける投稿者及び閲覧者に予め付与されるアドレスとの対応を利用者情報として記憶する利用者情報蓄積部を備え、
前記通信開始指示部は、前記利用者情報蓄積部に記憶された利用者情報から投稿者及び閲覧者の識別子に基づいて、当該投稿者及び閲覧者のアドレスを読み出し、読み出したアドレスに基づいて通信開始の指示情報を前記通信サブシステムへ送信する
ことを特徴とする請求項６に記載の電話発信システム。
【請求項８】
前記投稿者に予め付与されるアドレスは、
前記記事発信端末に予め付与されるアドレス、あるいは前記投稿者が所有する端末のアドレスであり、
前記閲覧者に予め付与されるアドレスは、
前記記事閲覧端末に予め付与されるアドレス、あるいは前記閲覧者が所有する端末のアドレスである
ことを特徴とする請求項７に記載の電話発信システム。
【請求項９】
投稿者に操作され記事の内容を示す記事内容情報を発信する記事発信端末と、閲覧者に操作され前記記事内容情報を受信し表示する記事閲覧端末と、前記投稿者と前記閲覧者の間の電話通信を提供する通信サブシステムと、前記記事内容情報を記憶し公開する記事公開装置と、前記記事発信端末と前記記事閲覧端末と前記通信サブシステムと前記記事公開装置に接続される投稿閲覧装置とを備える電話発信システムにおける投稿閲覧装置であって、
投稿者に予め付与された識別子、閲覧者に予め付与された識別子、及び記事情報キーワードを組み合わせた関係情報を記憶する関係情報蓄積部と、
前記記事公開装置により公開されている記事内容情報に対する閲覧、コメント、及びトラックバックそれぞれの履歴情報と、前記通信サブシステムを介した通信の履歴とを示す通信履歴情報とを記憶するコミュニケーション履歴蓄積部と、
記事情報を識別する記事識別子と、該記事情報を投稿した投稿者の識別子と、該記事情報の配信先を示す閲覧者の識別子とを含む記事配信先情報を記憶する記事配信先蓄積部と、
前記記事公開装置より履歴情報を取得し、取得した履歴情報を前記コミュニケーション履歴蓄積部に記憶させる履歴取得部と、
前記通信サブシステムより通信履歴情報を取得し、取得した通信履歴情報を前記コミュニケーション履歴蓄積部に記憶させる通信履歴取得部と、
前記コミュニケーション履歴蓄積部に記憶されている履歴情報及び通信履歴情報に基づいて、投稿者の識別子、閲覧者の識別子、及び記事情報キーワードの組み合わせを抽出し、抽出した組み合わせを関係情報として前記関係情報蓄積部に記憶させる関係情報抽出部と、
前記記事発信端末から受信した前記投稿者の識別子と記事内容情報と記事内容の特徴を示す記事情報キーワードとを含む記事情報を受信し当該投稿者の識別子及び当該記事情報キーワードを抽出する記事特徴抽出部と、
前記記事特徴抽出部が抽出した投稿者の識別子及び記事情報キーワードと、前記関係情報蓄積部に記憶されている関係情報とに基づいて、閲覧者の識別子を配信先候補情報として抽出する関係情報取得部と、
前記配信先候補情報を前記記事発信端末へ送信する配信先表示部と、
投稿者の操作により前記配信先候補情報の中から選択された閲覧者の識別子である配信先の情報と、投稿者の識別子と、記事情報とを前記記事発信端末から受信して記事識別子を生成し、生成した記事識別子と、受信した投稿者の識別子と、受信した配信先の情報とを前記記事配信先情報として前記記事配信先蓄積部に記憶させ、生成した記事識別子と、受信した記事情報とを含む投稿記事情報を前記記事公開装置に記憶させる配信部と、
前記記事閲覧端末より閲覧者の識別子を含む記事情報の閲覧要求を受信すると、受信した閲覧者の識別子を含む記事配信先情報を前記記事配信先蓄積部から読み出し、読み出した記事配信先情報に含まれる記事識別子に基づいて前記記事公開装置から記事内容情報を読み出し、読み出した記事内容情報の投稿者と該閲覧者との前記通信サブシステムを介した通信の開始を選択するボタンと、読み出した記事内容情報とを含む出力画面データを前記記事閲覧端末に表示させる出力生成部と、
を備えることを特徴とする投稿閲覧装置。
【請求項１０】
投稿者に操作され記事の内容を示す記事内容情報を発信する記事発信端末と、閲覧者に操作され前記記事内容情報を受信し表示する記事閲覧端末と、前記投稿者と前記閲覧者の間の電話通信を提供する通信サブシステムと、前記記事内容情報を記憶し公開する記事公開装置と、前記記事発信端末、前記記事閲覧端末、前記通信サブシステム、及び前記記事公開装置に接続され、投稿者に予め付与された識別子、閲覧者に予め付与された識別子、及び記事情報キーワードを組み合わせた関係情報を記憶する関係情報蓄積部と、前記記事公開装置により公開されている記事内容情報に対する閲覧、コメント、及びトラックバックそれぞれの履歴情報と、前記通信サブシステムを介した通信の履歴とを示す通信履歴情報とを記憶するコミュニケーション履歴蓄積部と、記事情報を識別する記事識別子と、該記事情報を投稿した投稿者の識別子と、該記事情報の配信先を示す閲覧者の識別子とを含む記事配信先情報を記憶する記事配信先蓄積部と、を有する投稿閲覧装置とを備える電話発信システムにおける電話発信方法であって、
前記記事公開装置より履歴情報を取得し、取得した履歴情報を前記コミュニケーション履歴蓄積部に記憶させる履歴取得ステップと、
前記通信サブシステムより通信履歴情報を取得し、取得した通信履歴情報を前記コミュニケーション履歴蓄積部に記憶させる通信履歴取得ステップと、
前記コミュニケーション履歴蓄積部に記憶されている履歴情報及び通信履歴情報に基づいて、投稿者の識別子、閲覧者の識別子、及び記事情報キーワードの組み合わせを抽出し、抽出した組み合わせを関係情報として前記関係情報蓄積部に記憶させる関係情報抽出ステップと、
前記記事発信端末から受信した前記投稿者の識別子と記事内容情報と記事内容の特徴を示す記事情報キーワードとを含む記事情報を受信し当該投稿者の識別子及び当該記事情報キーワードを抽出する記事特徴抽出ステップと、
前記記事特徴抽出ステップにおいて抽出された投稿者の識別子及び記事情報キーワードと、前記関係情報蓄積部に関係情報とに基づいて、閲覧者の識別子を配信先候補情報として抽出する関係情報取得ステップと、
前記配信先候補情報を前記記事発信端末へ送信する配信先表示ステップと、
投稿者の操作により前記配信先候補情報の中から選択された閲覧者の識別子である配信先の情報と、投稿者の識別子と、記事情報とを前記記事発信端末から受信して記事識別子を生成し、生成した記事識別子と、受信した投稿者の識別子と、受信した配信先の情報とを前記記事配信先情報として前記記事配信先蓄積部に記憶させ、生成した記事識別子と、受信した記事情報とを含む投稿記事情報を前記記事公開装置に記憶させる配信ステップと、
前記記事閲覧端末より閲覧者の識別子を含む記事情報の閲覧要求を受信すると、受信した閲覧者の識別子を含む記事配信先情報を前記記事配信先蓄積部から読み出し、読み出した記事配信先情報に含まれる記事識別子に基づいて前記記事公開装置から記事内容情報を読み出し、読み出した記事内容情報の投稿者と該閲覧者との前記通信サブシステムを介した通信の開始を選択するボタンと、読み出した記事内容情報とを含む出力画面データを前記記事閲覧端末に表示させる出力生成ステップと、
を含むことを特徴とする電話発信方法。
【発明の詳細な説明】
【技術分野】
【０００１】
本発明は、例えば、ネットワーク上の記事情報の閲覧を通じて、電話発信を行うための電話発信システム、投稿閲覧装置及び電話発信方法に関する。
【背景技術】
【０００２】
近年、ネットワークを利用して、例えば、投稿された記事の内容を示す記事情報を基に電話発信を行うシステムが実現されている。すなわち、第一の従来例として、閲覧者のＩＰ（Internet Protocol）電話からウェブなどの記事情報に含まれる電話番号の電話に対して電話発信を行うシステム（以下、第一のシステムという）が知られている（例えば、非特許文献１参照）。
また、第二の従来例として、ウェブなどの記事閲覧端末に閲覧者の電話番号を与えると閲覧者の与えた電話番号の電話と閲覧記事情報に含まれている電話番号の電話間で通信を行うシステム（以下、第二のシステムという）が知られている（例えば、非特許文献２参照）。
【非特許文献１】Skype Limited、“Skype Emailツールバー”、［online］、［平成１９年９月２８日検索］、インターネット＜http://www.skype.com/intl/ja/download/skypeemailtoolbar/＞
【非特許文献２】NTT Communications、“ウェブｄｅコール”、［online］、[平成１９年９月２８日検索]、インターネット＜http://www.ntt.com/webdecall/＞
【発明の開示】
【発明が解決しようとする課題】
【０００３】
しかしながら、上記第一のシステムでは閲覧者が閲覧する記事情報に含まれる全ての電話番号に対して、電話発信可能になり、通信する必要のない電話番号にまで通信が行われるという問題がある。
また、上記第二のシステムでは、電話発信可能な電話番号が記事情報提供者により制限されているが、依然として指定した電話番号の全てに、通信が可能であるので、不要な通信が行われるという問題がある。
【０００４】
本発明は、このような事情に鑑みてなされたものであって、通話開始を可能とする記事情報閲覧者を制限することで、不要な通信が行われないことを可能とする電話発信システム、投稿閲覧装置及び電話発信方法を提供することを目的とする。
【課題を解決するための手段】
【０００５】
上記課題を解決するために、本発明は、投稿者に操作され記事の内容を示す記事内容情報を発信する記事発信端末と、閲覧者に操作され前記記事内容情報を受信し表示する記事閲覧端末と、前記投稿者と前記閲覧者の間の電話通信を提供する通信サブシステムと、前記記事内容情報を記憶し公開する記事公開装置と、前記記事発信端末と前記記事閲覧端末と前記通信サブシステムと前記記事公開装置に接続される投稿閲覧装置とを備える電話発信システムであって、前記投稿閲覧装置は、投稿者に予め付与された識別子、閲覧者に予め付与された識別子、及び記事情報キーワードを組み合わせた関係情報を記憶する関係情報蓄積部と、前記記事公開装置により公開されている記事内容情報に対する閲覧、コメント、及びトラックバックそれぞれの履歴情報と、前記通信サブシステムを介した通信の履歴とを示す通信履歴情報とを記憶するコミュニケーション履歴蓄積部と、記事情報を識別する記事識別子と、該記事情報を投稿した投稿者の識別子と、該記事情報の配信先を示す閲覧者の識別子とを含む記事配信先情報を記憶する記事配信先蓄積部と、前記記事公開装置より履歴情報を取得し、取得した履歴情報を前記コミュニケーション履歴蓄積部に記憶させる履歴取得部と、前記通信サブシステムより通信履歴情報を取得し、取得した通信履歴情報を前記コミュニケーション履歴蓄積部に記憶させる通信履歴取得部と、前記コミュニケーション履歴蓄積部に記憶されている履歴情報及び通信履歴情報に基づいて、投稿者の識別子、閲覧者の識別子、及び記事情報キーワードの組み合わせを抽出し、抽出した組み合わせを関係情報として前記関係情報蓄積部に記憶させる関係情報抽出部と、前記記事発信端末から受信した前記投稿者の識別子と記事内容情報と記事内容の特徴を示す記事情報キーワードとを含む記事情報を受信し当該投稿者の識別子及び当該記事情報キーワードを抽出する記事特徴抽出部と、前記記事特徴抽出部が抽出した投稿者の識別子及び記事情報キーワードと、前記関係情報蓄積部に記憶されている関係情報とに基づいて、閲覧者の識別子を配信先候補情報として抽出する関係情報取得部と、前記配信先候補情報を前記記事発信端末へ送信する配信先表示部と、投稿者の操作により前記配信先候補情報の中から選択された閲覧者の識別子である配信先の情報と、投稿者の識別子と、記事情報とを前記記事発信端末から受信して記事識別子を生成し、生成した記事識別子と、受信した投稿者の識別子と、受信した配信先の情報とを前記記事配信先情報として前記記事配信先蓄積部に記憶させ、生成した記事識別子と、受信した記事情報とを含む投稿記事情報を前記記事公開装置に記憶させる配信部と、前記記事閲覧端末より閲覧者の識別子を含む記事情報の閲覧要求を受信すると、受信した閲覧者の識別子を含む記事配信先情報を前記記事配信先蓄積部から読み出し、読み出した記事配信先情報に含まれる記事識別子に基づいて前記記事公開装置から記事内容情報を読み出し、読み出した記事内容情報の投稿者と該閲覧者との前記通信サブシステムを介した通信の開始を選択するボタンと、読み出した記事内容情報とを含む出力画面データを前記記事閲覧端末に表示させる出力生成部と、を備えることを特徴とする電話発信システムである。
【０００６】
また、上記課題を解決するために、本発明は、投稿者に操作され記事の内容を示す記事内容情報を発信する記事発信端末と、閲覧者に操作され前記記事内容情報を受信し表示する記事閲覧端末と、前記投稿者と前記閲覧者の間の電話通信を提供する通信サブシステムと、前記記事内容情報を記憶し公開する記事公開装置と、前記記事発信端末と前記記事閲覧端末と前記通信サブシステムと前記記事公開装置に接続される投稿閲覧装置とを備える電話発信システムであって、前記投稿閲覧装置は、投稿者に予め付与された識別子、閲覧者に予め付与された識別子、記事情報キーワード、及び、該記事情報キーワードに基づいた投稿者と閲覧者との関係の強さを示す強さ情報を組み合わせた関係情報を記憶する関係情報蓄積部と、前記記事公開装置により公開されている記事内容情報に対する閲覧、コメント、及びトラックバックそれぞれの履歴情報と、前記通信サブシステムを介した通信の履歴とを示す通信履歴情報とを記憶するコミュニケーション履歴蓄積部と、記事情報を識別する記事識別子と、該記事情報を投稿した投稿者の識別子と、該記事情報の配信先を示す閲覧者の識別子とを含む記事配信先情報を記憶する記事配信先蓄積部と、前記記事公開装置より履歴情報を取得し、取得した履歴情報を前記コミュニケーション履歴蓄積部に記憶させる履歴取得部と、前記通信サブシステムより通信履歴情報を取得し、取得した通信履歴情報を前記コミュニケーション履歴蓄積部に記憶させる通信履歴取得部と、前記コミュニケーション履歴蓄積部に記憶されている履歴情報及び通信履歴情報に基づいて、投稿者の識別子、閲覧者の識別子、記事情報キーワード、及び該記事情報キーワードに基づいた該投稿者と該閲覧者に対する強さ情報の組み合わせを抽出し、抽出した組み合わせを関係情報として前記関係情報蓄積部に記憶させる関係情報抽出部と、前記記事発信端末から受信した前記投稿者の識別子と記事内容情報と記事内容の特徴を示す記事情報キーワードとを含む記事情報を受信し当該投稿者の識別子及び当該記事情報キーワードを抽出する記事特徴抽出部と、前記記事特徴抽出部が抽出した投稿者の識別子及び記事情報キーワードと、前記関係情報蓄積部に関係情報として記憶されている投稿者の識別子、記事情報キーワード、及び強さ情報とに基づいて、閲覧者の識別子を配信先候補情報として抽出する関係情報取得部と、前記配信先候補情報を前記記事発信端末へ送信する配信先表示部と、投稿者の操作により前記配信先候補情報の中から選択された閲覧者の識別子である配信先の情報と、投稿者の識別子と、記事情報とを前記記事発信端末から受信して記事識別子を生成し、生成した記事識別子と、受信した投稿者の識別子と、受信した配信先の情報とを前記記事配信先情報として前記記事配信先蓄積部に記憶させ、生成した記事識別子と、受信した記事情報とを含む投稿記事情報を前記記事公開装置に記憶させる配信部と、前記記事閲覧端末より閲覧者の識別子を含む記事情報の閲覧要求を受信すると、受信した閲覧者の識別子を含む記事配信先情報を前記記事配信先蓄積部から読み出し、読み出した記事配信先情報に含まれる記事識別子に基づいて前記記事公開装置から記事内容情報を読み出し、読み出した記事内容情報の投稿者と該閲覧者との前記通信サブシステムを介した通信の開始を選択するボタンと、読み出した記事内容情報とを含む出力画面データを前記記事閲覧端末に表示させる出力生成部と、を備えることを特徴とする。
【０００７】
また、上記課題を解決するために、本発明は、前記出力画面データを表示した記事閲覧端末から、前記通信サブシステムを介した通信の開始を要求する情報を受信すると、該記事閲覧端末と、前記記事発信端末との間の通信開始を要求する情報を前記通信サブシステムに送信する通信開始指示部を備えることを特徴とする。
【０００８】
また、上記課題を解決するために、本発明は、前記通信履歴取得部は、前記通信履歴情報を前記コミュニケーション履歴蓄積部に記憶させる場合、投稿者と閲覧者との間で、記事情報を契機として行われた前記通信サブシステムを介した通信の履歴を記事情報キーワードと併せて前記通信履歴情報として記憶させることを特徴とする。
【０００９】
また、上記課題を解決するために、本発明は、前記投稿閲覧装置は、前記記事公開装置において記事情報の記憶されている場所を示す情報と、該記事情報の記事情報キーワードとが対応付けて記憶されている記事蓄積部を備え、前記履歴情報には、記事情報を閲覧した閲覧者の識別子、該記事情報を投稿した投稿者の識別子、及び前記記事公開装置において該記事情報が記憶されている場所を示す情報を含み、閲覧の履歴を示す閲覧履歴情報と、記事情報に対してコメントをした閲覧者の識別子、該記事情報を投稿した投稿者の識別子、及び前記記事公開装置において該記事情報が記憶されている場所を示す情報を含み、コメントの履歴を示すコメント履歴情報と、記事情報に対してトラックバックをした閲覧者の識別子、該記事情報を投稿した投稿者の識別子、及び前記記事公開装置において該記事情報が記憶されている場所を示す情報を含み、トラックバックの履歴を示すトラックバック履歴情報と、が含まれ、前記通信履歴情報には、発信者を示す閲覧者の識別子、着信者を示す投稿者の識別子、通信の契機になった記事情報に対応する記事情報キーワード、前記通信サブシステムにおける通信時間及び日付を示す情報が含まれ、前記関係情報抽出部は、前記コミュニケーション履歴蓄積部に記憶されている前記閲覧履歴情報、前記コメント履歴情報、又は前記トラックバック履歴情報と、前記通信履歴情報とから前記関係情報を抽出する場合、閲覧者の識別子、投稿者の識別子、及び記事情報キーワードの組み合わせごとに、閲覧、コメント、及びトラックバックそれぞれに対して予め定められた数値と、前記通信履歴情報に含まれる通信時間に予め定められた数値を乗算して算出された数値とを加算した強さ情報を算出し、更に、前記閲覧履歴情報、前記コメント履歴情報、及び前記トラックバック履歴情報に含まれる記事情報が記憶されている場所を示す情報に対応する記事情報キーワードを前記記事蓄積部から読み出すことを特徴とする。
【００１０】
また、上記課題を解決するために、本発明は、前記履歴取得部は、前記記事閲覧端末と、前記記事公開装置とから記事情報に対する前記閲覧履歴情報を取得して前記コミュニケーション履歴蓄積部に記憶させる閲覧履歴取得部と、前記記事公開装置から記事情報に対するコメント履歴情報を取得して前記コミュニケーション履歴蓄積部に記憶させるコメント閲覧取得部と、前記記事公開装置から記事情報に対するトラックバック履歴情報を取得して前記コミュニケーション履歴蓄積部に記憶させるトラックバック履歴取得部とを含むことを特徴とする。
【００１１】
また、上記課題を解決するために、本発明は、前記投稿閲覧装置は、投稿者及び閲覧者の名前を示す情報と投稿者及び閲覧者に予め付与される識別子と前記通信サブシステムにおける投稿者及び閲覧者に予め付与されるアドレスとの対応を利用者情報として記憶する利用者情報蓄積部を備え、前記通信開始指示部は、前記利用者情報蓄積部に記憶された利用者情報から投稿者及び閲覧者の識別子に基づいて、当該投稿者及び閲覧者のアドレスを読み出し、読み出したアドレスに基づいて通信開始の指示情報を前記通信サブシステムへ送信することを特徴とする。
【００１２】
また、上記課題を解決するために、本発明は、前記投稿者に予め付与されるアドレスは、前記記事発信端末に予め付与されるアドレス、あるいは前記投稿者が所有する端末のアドレスであり、前記閲覧者に予め付与されるアドレスは、前記記事閲覧端末に予め付与されるアドレス、あるいは前記閲覧者が所有する端末のアドレスであることを特徴とする。
【００１３】
また、上記課題を解決するために、本発明は、投稿者に操作され記事の内容を示す記事内容情報を発信する記事発信端末と、閲覧者に操作され前記記事内容情報を受信し表示する記事閲覧端末と、前記投稿者と前記閲覧者の間の電話通信を提供する通信サブシステムと、前記記事内容情報を記憶し公開する記事公開装置と、前記記事発信端末と前記記事閲覧端末と前記通信サブシステムと前記記事公開装置に接続される投稿閲覧装置とを備える電話発信システムにおける投稿閲覧装置であって、投稿者に予め付与された識別子、閲覧者に予め付与された識別子、及び記事情報キーワードを組み合わせた関係情報を記憶する関係情報蓄積部と、前記記事公開装置により公開されている記事内容情報に対する閲覧、コメント、及びトラックバックそれぞれの履歴情報と、前記通信サブシステムを介した通信の履歴とを示す通信履歴情報とを記憶するコミュニケーション履歴蓄積部と、記事情報を識別する記事識別子と、該記事情報を投稿した投稿者の識別子と、該記事情報の配信先を示す閲覧者の識別子とを含む記事配信先情報を記憶する記事配信先蓄積部と、前記記事公開装置より履歴情報を取得し、取得した履歴情報を前記コミュニケーション履歴蓄積部に記憶させる履歴取得部と、前記通信サブシステムより通信履歴情報を取得し、取得した通信履歴情報を前記コミュニケーション履歴蓄積部に記憶させる通信履歴取得部と、前記コミュニケーション履歴蓄積部に記憶されている履歴情報及び通信履歴情報に基づいて、投稿者の識別子、閲覧者の識別子、及び記事情報キーワードの組み合わせを抽出し、抽出した組み合わせを関係情報として前記関係情報蓄積部に記憶させる関係情報抽出部と、前記記事発信端末から受信した前記投稿者の識別子と記事内容情報と記事内容の特徴を示す記事情報キーワードとを含む記事情報を受信し当該投稿者の識別子及び当該記事情報キーワードを抽出する記事特徴抽出部と、前記記事特徴抽出部が抽出した投稿者の識別子及び記事情報キーワードと、前記関係情報蓄積部に記憶されている関係情報とに基づいて、閲覧者の識別子を配信先候補情報として抽出する関係情報取得部と、前記配信先候補情報を前記記事発信端末へ送信する配信先表示部と、投稿者の操作により前記配信先候補情報の中から選択された閲覧者の識別子である配信先の情報と、投稿者の識別子と、記事情報とを前記記事発信端末から受信して記事識別子を生成し、生成した記事識別子と、受信した投稿者の識別子と、受信した配信先の情報とを前記記事配信先情報として前記記事配信先蓄積部に記憶させ、生成した記事識別子と、受信した記事情報とを含む投稿記事情報を前記記事公開装置に記憶させる配信部と、前記記事閲覧端末より閲覧者の識別子を含む記事情報の閲覧要求を受信すると、受信した閲覧者の識別子を含む記事配信先情報を前記記事配信先蓄積部から読み出し、読み出した記事配信先情報に含まれる記事識別子に基づいて前記記事公開装置から記事内容情報を読み出し、読み出した記事内容情報の投稿者と該閲覧者との前記通信サブシステムを介した通信の開始を選択するボタンと、読み出した記事内容情報とを含む出力画面データを前記記事閲覧端末に表示させる出力生成部と、を備えることを特徴とする投稿閲覧装置である。
【００１４】
また、上記課題を解決するために、本発明は、投稿者に操作され記事の内容を示す記事内容情報を発信する記事発信端末と、閲覧者に操作され前記記事内容情報を受信し表示する記事閲覧端末と、前記投稿者と前記閲覧者の間の電話通信を提供する通信サブシステムと、前記記事内容情報を記憶し公開する記事公開装置と、前記記事発信端末、前記記事閲覧端末、前記通信サブシステム、及び前記記事公開装置に接続され、投稿者に予め付与された識別子、閲覧者に予め付与された識別子、及び記事情報キーワードを組み合わせた関係情報を記憶する関係情報蓄積部と、前記記事公開装置により公開されている記事内容情報に対する閲覧、コメント、及びトラックバックそれぞれの履歴情報と、前記通信サブシステムを介した通信の履歴とを示す通信履歴情報とを記憶するコミュニケーション履歴蓄積部と、記事情報を識別する記事識別子と、該記事情報を投稿した投稿者の識別子と、該記事情報の配信先を示す閲覧者の識別子とを含む記事配信先情報を記憶する記事配信先蓄積部と、を有する投稿閲覧装置とを備える電話発信システムにおける電話発信方法であって、前記記事公開装置より履歴情報を取得し、取得した履歴情報を前記コミュニケーション履歴蓄積部に記憶させる履歴取得ステップと、前記通信サブシステムより通信履歴情報を取得し、取得した通信履歴情報を前記コミュニケーション履歴蓄積部に記憶させる通信履歴取得ステップと、前記コミュニケーション履歴蓄積部に記憶されている履歴情報及び通信履歴情報に基づいて、投稿者の識別子、閲覧者の識別子、及び記事情報キーワードの組み合わせを抽出し、抽出した組み合わせを関係情報として前記関係情報蓄積部に記憶させる関係情報抽出ステップと、前記記事発信端末から受信した前記投稿者の識別子と記事内容情報と記事内容の特徴を示す記事情報キーワードとを含む記事情報を受信し当該投稿者の識別子及び当該記事情報キーワードを抽出する記事特徴抽出ステップと、前記記事特徴抽出ステップにおいて抽出された投稿者の識別子及び記事情報キーワードと、前記関係情報蓄積部に関係情報とに基づいて、閲覧者の識別子を配信先候補情報として抽出する関係情報取得ステップと、前記配信先候補情報を前記記事発信端末へ送信する配信先表示ステップと、投稿者の操作により前記配信先候補情報の中から選択された閲覧者の識別子である配信先の情報と、投稿者の識別子と、記事情報とを前記記事発信端末から受信して記事識別子を生成し、生成した記事識別子と、受信した投稿者の識別子と、受信した配信先の情報とを前記記事配信先情報として前記記事配信先蓄積部に記憶させ、生成した記事識別子と、受信した記事情報とを含む投稿記事情報を前記記事公開装置に記憶させる配信ステップと、前記記事閲覧端末より閲覧者の識別子を含む記事情報の閲覧要求を受信すると、受信した閲覧者の識別子を含む記事配信先情報を前記記事配信先蓄積部から読み出し、読み出した記事配信先情報に含まれる記事識別子に基づいて前記記事公開装置から記事内容情報を読み出し、読み出した記事内容情報の投稿者と該閲覧者との前記通信サブシステムを介した通信の開始を選択するボタンと、読み出した記事内容情報とを含む出力画面データを前記記事閲覧端末に表示させる出力生成ステップと、を含むことを特徴とする電話発信方法である。
【発明の効果】
【００１５】
本発明によれば、ネットワークに公開されている記事内容情報を閲覧する際に、当該記事内容情報に関心事を示す閲覧者に制限して、通信サブシステムを介した当該記事内容情報の投稿者の端末と閲覧者の端末間で通信を開始することができる。
また、本発明によれば、ネットワークに公開されている記事内容情報を閲覧する際に、当該記事内容情報の投稿者の端末と閲覧者の端末で通信サブシステムを介した通信を開始することを示す情報を、閲覧者に基づいて制限することにより、不要な通信の発生を制限することができる。
【発明を実施するための最良の形態】
【００１６】
以下、本発明の実施形態について、図面を参照して説明する。
図１は、本発明に係る実施形態の電話発信システムを示すシステム構成図である。
電話発信システム１００は、投稿閲覧装置１、記事公開装置２、記事発信端末３ａ、記事閲覧端末３ｂ及び通信サブシステム５と、これらを相互に接続するネットワーク４とを備えている。
投稿閲覧装置１は、記事発信端末３ａが送信した記事情報を受信し、記事公開装置２へ送信する。また、投稿閲覧装置１は、記事閲覧端末３ｂが送信した閲覧要求を受信し、当該閲覧要求を記事公開装置２へ送信する。また、投稿閲覧装置１は、記事公開装置２から記事情報を受信し、受信した記事情報を記事閲覧端末３ｂへ送信する。また、投稿閲覧装置１は、記事閲覧端末３ｂからの通信開始要求を受信し、受信した当該通信開始要求を通信サブシステム５に送信する。
【００１７】
記事公開装置２は、内部に記憶している記事情報をネットワーク４上に公開、すなわち記事閲覧端末３ｂ等から接続要求を受信し、内部に記憶している記事情報を送信する装置（例えば、ウェブサーバやブログサーバなど）である。また、記事公開装置２は、投稿閲覧装置１から受信した記事情報を記憶する。
記事発信端末３ａは、投稿者の操作を受けて、記事情報を投稿閲覧装置１に送信する。閲覧者の操作により記事閲覧端末３ｂは、記事閲覧要求を投稿閲覧装置１に送信し、当該記事閲覧要求により投稿閲覧装置１を通じて記事公開装置２に記録された記事情報を受信し、表示する。また、閲覧者の操作を受けて記事閲覧端末３ｂは、通信開始要求を投稿閲覧装置１に送信する。ただし、記事閲覧端末３ｂ及び記事発信端末３ａは、投稿用又は閲覧用に限定されるものではなく、それぞれが投稿用又は閲覧用の端末として構成されてもよい。
【００１８】
ネットワーク４は、インターネット、ＬＡＮ（Local Area Network）、ＷＡＮ（Wide Area Network）などの通信網である。通信サブシステム５は、例えば、ＩＰ（Internet Protocol）電話通信システムなどである。
以下、投稿閲覧装置１における投稿者及び閲覧者を特定する識別子をユーザＩＤと記載して説明する。また、通信サブシステム５における投稿者及び閲覧者を特定する識別子をアドレスと記載して説明する。また、投稿者のユーザＩＤと、記事の特徴を示すキーワードを示す情報（以下、記事情報キーワードという）と、記事の内容を示す情報（以下、記事内容情報という）を含む情報を記事情報と記載して説明する。また、記事情報を示す識別子（以下、記事ＩＤという）と、記事情報を含む情報を投稿記事情報と記載して説明する。
【実施例１】
【００１９】
（第１実施形態）
図２は、投稿閲覧装置１の第１実施形態における内部構成、及び記事公開装置２と、記事発信端末３ａと、記事閲覧端末３ｂと、通信サブシステム５との接続構成を示した概略ブロック図である。
記事発信端末３ａは、受信した配信先候補情報と配信先選択フォーム情報を表示する。また、記事発信端末３ａは、投稿者に選択された配信先のユーザＩＤと、記事情報とを配信部１４へ送信する。ここで、配信先のユーザＩＤは、記事情報が配信される閲覧者の投稿閲覧装置１におけるユーザＩＤである。
記事閲覧端末３ｂは、閲覧者の表示要求情報を投稿閲覧装置１へ送信する。また、記事閲覧端末３ｂは、投稿閲覧装置１から受信した画面出力用データ（例えば、図７のような表示である）を表示する。また、記事閲覧端末３ｂは、通信開始要求情報を通信開始指示部１１２へ送信する。ここで、通信開始要求情報は、閲覧者のユーザＩＤ、投稿者のユーザＩＤ、閲覧者のアドレスと、投稿者のアドレスと、記事情報キーワードとを含む情報である。
【００２０】
投稿閲覧装置１において、記事特徴抽出部１１は、記事発信端末３ａから記事情報を受信し、投稿者のユーザＩＤと記事情報キーワードを抽出する。ここで、記事情報キーワードとは、記事情報の記事内容の特徴を示す情報である。例えば、記事情報に含まれるキーワードとして音楽や、野球や、映画などが用いられる。また、記事情報は、投稿者のユーザＩＤと、記事情報キーワードと、記事の内容を示す記事内容情報を含む情報である。また、投稿記事情報は、記事情報と、記事情報の識別子を示す情報（以下、記事ＩＤという）を含む情報である。
【００２１】
また、記事特徴抽出部１１は、抽出した投稿者のユーザＩＤ及び記事情報キーワードを関係情報取得部１２へ出力する。
関係情報取得部１２は、記事特徴抽出部１１から入力された投稿者のユーザＩＤと記事情報キーワードを含む配信先候補情報の要求情報を関係情報受付部１０７へ出力する。ここで、配信先候補情報とは、記事情報の配信対象となるユーザＩＤである。
配信先表示部１３は、関係情報取得部１２から入力された配信先候補情報に対応したユーザ表示名を利用者情報蓄積部１１０から読み出す。また、配信先表示部１３は、読み出したユーザ表示名と配信先候補情報に基づいて配信先情報と配信先選択フォーム情報を生成し、記事発信端末３ａへ送信する。
【００２２】
配信部１４は、記事発信端末３ａから受信した投稿者のユーザＩＤと、投稿日時とから記事ＩＤを生成する。例えば、ユーザＩＤの文字列と投稿日時を示す文字列を連結した文字列を記事ＩＤして生成する。また、配信部１４は、記事発信端末３ａから受信した配信先のユーザＩＤと、生成した記事ＩＤとを記事配信先受付部１０９へ出力する。また、配信部１４は、記事情報と記事ＩＤとを含む投稿記事情報を投稿部１５へ出力する。
投稿部１５は、投稿記事情報を記事公開装置２へ送信し、記事公開装置２に記録させる。記事公開装置２に記録された投稿記事情報は、ネットワーク４上に公開される。
記事取得部１６は、定期的に、又は記事閲覧端末３ｂの指示情報を受信して、記事蓄積部１７の取得対象情報に基づいて、記事公開装置２に記憶されている投稿記事情報の要求を送信し、当該投稿記事情報を受信する。記事取得部１６は、受信した投稿記事情報を記事蓄積部１７に取得記事情報として記録する。
【００２３】
ここで、取得対象情報とは、図６（ａ）に示すように、「ＲＳＳ−ＵＲＬ」（Resource descript framework Site Summary − Uniform Resource Locator）、「タイトル」及び「ブログＵＲＬ」（以下、記事ＵＲＬという）の項目を含む情報である。「ＲＳＳ−ＵＲＬ」の項目の情報は、投稿記事情報のＲＳＳが記憶されている場所を特定するためのＵＲＬの情報である。「タイトル」の項目の情報は、ＲＳＳ−ＵＲＬを介して閲覧ができる投稿記事情報の総称を示す情報である。例えば、「タイトル」は、ブログにおけるブログ自体のタイトルであり、以下で説明する取得記事情報の「記事タイトル」は、ブログに登録される個別の記事のタイトルである。「記事ＵＲＬ」の項目の情報は、記事公開装置２における投稿記事情報の記録されている場所を示す情報である。
また、取得記事情報とは、図６（ｂ）に示すように、「記事固定ＵＲＬ」、「記事タイトル」、「記事内容」、「キーワード」、「日時」、「著者」及び「ＲＳＳ−ＵＲＬ」の項目を含む情報である。「記事固定ＵＲＬ」の項目の情報は、記事公開装置２における投稿記事情報の場所を示す情報である。「記事タイトル」の項目の情報は、投稿記事情報のタイトルを示す情報である。「記事内容」の項目の情報は、投稿記事情報の内容を示すである。「キーワード」の項目の情報は、投稿記事情報の特徴を示す情報である。「日時」の項目の情報は、投稿記事情報の投稿された日時を示す情報である。「著者」の項目の情報は、投稿記事情報の投稿者のユーザＩＤである。「ＲＳＳ−ＵＲＬ」の項目の情報は、投稿記事情報のＲＳＳの場所を示す情報である。
【００２４】
記事蓄積部１７は、図６（ａ）に示す取得対象情報と、図６（ｂ）に示す取得記事情報とを記憶する。
出力生成部１８は、閲覧画面表示部１９から表示要求情報を入力されると、記事配信先受付部１０９へ表示要求情報に含まれる閲覧者のユーザＩＤを出力する。また、出力生成部１８は、記事配信先受付部１０９から受信した記事配信先情報の記事ＩＤに一致する取得記事情報を、記事蓄積部１７から読み出す。また、出力生成部１８は、配信先情報、取得記事情報、記事情報の投稿者の記事発信端末３ａと閲覧者の記事閲覧端末３ｂ間の通信開始ボタン及び記事情報キーワードを含む画面出力用データを生成し、閲覧画面表示部１９へ出力する。ここで、通信開始ボタンとは、通信サブシステム５を介した投稿者の記事発信端末３ａと閲覧者の記事閲覧端末３ｂ間の通信を始めることを、閲覧者に選択させるものである。
閲覧画面表示部１９は、受信した表示要求情報を、出力生成部１８へ出力する。また、閲覧画面表示部１９は、出力生成部１８から入力された画面出力用データを記事閲覧端末３ｂへ送信する。また、閲覧者の操作により記事閲覧端末３ｂから記事情報表示の要求を含む情報を受信すると、閲覧画面表示部１９は、閲覧履歴取得部１０１に閲覧者のユーザＩＤと、閲覧された記事情報の記事ＩＤと、記事ＵＲＬと、閲覧日時の情報とを出力する。
【００２５】
閲覧履歴取得部１０１は、閲覧画面表示部１９から入力された閲覧者のユーザＩＤと、閲覧された投稿記事情報を投稿した投稿者のユーザＩＤと、記事ＵＲＬと、閲覧日時の情報とを閲覧履歴情報としてコミュニケーション履歴蓄積部１０４へ記録する。また、閲覧履歴取得部１０１は、記事公開装置２に記憶されている閲覧履歴情報を要求する情報を送信し、受信した閲覧履歴情報をコミュニケーション履歴蓄積部１０４へ記録する。
ここで、閲覧履歴情報は、図８（ａ）に示すように、「閲覧ユーザＩＤ」、「閲覧記事投稿ユーザＩＤ」、「記事ＵＲＬ」及び「閲覧日時」の項目を含む情報である。「閲覧ユーザＩＤ」の項目の情報は、閲覧者のユーザＩＤを示す情報である。「閲覧記事投稿ユーザＩＤ」の項目の情報は、閲覧者により閲覧された投稿記事情報を投稿した投稿者のユーザＩＤを示す情報である。「記事ＵＲＬ」の項目の情報は、記事公開装置２における投稿記事情報の場所を示す情報である。「閲覧日時」の項目の情報は、閲覧者が投稿記事情報を閲覧した日時を示す情報である。
【００２６】
コメント履歴取得部１０２は、記事公開装置２に記憶されているコメント履歴情報を要求する情報を送信し、受信したコミュニケーション履歴蓄積部１０４へ記録する。ここで、コメント履歴情報は、図８（ｂ）に示すように、「コメントユーザＩＤ」、「コメント先記事投稿ユーザＩＤ」、「コメント先記事ＵＲＬ」及び「コメント日時」の項目を含む情報である。「コメントユーザＩＤ」の項目の情報は、投稿記事情報に対してコメントを行った閲覧者のユーザＩＤを示す情報である。「コメント先記事投稿ユーザＩＤ」の項目の情報は、閲覧者にコメントが行われた投稿記事情報の投稿者のユーザＩＤを示す情報である。「コメント先記事ＵＲＬ」の項目の情報は、閲覧者にコメントが行われた投稿記事情報が記録されている場所を示す情報である。「コメント日時」の項目の情報は、コメントが行われた日時を示す情報である。
【００２７】
トラックバック履歴取得部１０３は、記事公開装置２に記憶されているトラックバック履歴情報を要求する情報を送信し、受信したコミュニケーション履歴蓄積部１０４へ記録する。トラックバック履歴情報は、図８（ｃ）に示すように、「トラックバック元記事投稿ユーザＩＤ」、「トラックバック先記事投稿ユーザＩＤ」、「トラックバック先記事ＵＲＬ」及び「トラックバック日時」の項目を含む情報である。「トラックバック元記事投稿ユーザＩＤ」の項目の情報は、トラックバック元記事情報発信者のユーザＩＤを示す情報である。「トラックバック先記事投稿ユーザＩＤ」の項目の情報は、トラックバック先記事情報発信者のユーザＩＤを示す情報である。「トラックバック先記事ＵＲＬ」の項目の情報は、トラックバック先投稿記事情報の場所を示す情報である。「トラックバック日時」の項目の情報は、トラックバックを行った際の日時を示す情報である。
【００２８】
通信履歴取得部１１１は、通信サブシステム５から通信履歴情報を受信し、コミュニケーション履歴蓄積部１０４に記録する。通信履歴情報は、図８（ｄ）に示すように、「発信ユーザＩＤ」、「着信ユーザＩＤ」、「記事情報キーワード」、「通信時間」及び「通信開始日時」の項目を含む情報である。「発信ユーザＩＤ」項目の情報は、通信サブシステム５を介して行われた通信における発信者のユーザＩＤ（閲覧者のユーザＩＤ）を示す情報である。「着信ユーザＩＤ」項目の情報は、通信サブシステム５を介して行われた通信における着信者のユーザＩＤ（投稿者のユーザＩＤ）を示す情報である。「記事情報キーワード」項目の情報は、通信サブシステム５を介して行われた通信を行う契機となった投稿記事情報の記事情報キーワードを示す情報である。「通信時間」の項目の情報は、通信サブシステム５を介して行われた通信の通信時間を示す情報である。「通信開始日時」項目の情報は、通信サブシステム５を介して行われた通信の日時を示す情報である。
【００２９】
コミュニケーション履歴蓄積部１０４は、それぞれ図８（ａ）から図８（ｄ）に示す閲覧履歴情報、コメント履歴情報、トラックバック履歴情報及び通信履歴情報を記憶する。
関係情報抽出部１０５は、コミュニケーション履歴蓄積部１０４に記録されている情報を読み出し、関係情報を抽出する。また、関係情報抽出部１０５は、関係情報を関係情報蓄積部１０６に記録する。
【００３０】
関係情報蓄積部１０６は、関係情報を記憶する。ここで関係情報とは、図３（ａ）に示すように、「ユーザＩＤ」、「対象ユーザＩＤ」、「興味カテゴリ」及び「強さ」の項目を含む情報である。「ユーザＩＤ」の情報は、閲覧者のユーザＩＤの情報である。「対象ユーザＩＤ」の情報は、投稿者のユーザＩＤの情報である。「興味カテゴリ」の情報は、投稿記事情報の内容を示す情報（例えば、図３（ａ）における音楽や野球など）である。「強さ」の情報は、「興味カテゴリ」における、閲覧者から投稿者への関心の度合いを示す数値である。
【００３１】
また、図３（ａ）に示す関係情報は、有向グラフを用いると図３（ｂ）と表せる。図３（ｂ）における頂点（例えば、３ｂ−ｎ１、３ｂ−ｎ２、３ｂ−ｎ３及び３ｂ−ｎ４）は、ユーザＩＤである。また、辺（例えば、３ｂ−ｅ１、３ｂ−ｅ２及び３ｂ−ｅ３）は興味の向きである。図３（ｂ）における辺３ｂ−ｅ２は、ユーザ「ｂｂｂｂ」は「ｄｄｄｄ」に「サッカー」を共通の記事情報キーワードとして「３０」の強さの関心があることを示す辺である。
【００３２】
関係情報受付部１０７は、要求情報を受信し、関係情報蓄積部１０６に記録された関係情報から配信先候補情報を抽出し、関係情報取得部１２へ出力する。関係情報取得部１２は、受信した配信先候補情報を配信先表示部１３へ出力する。
記事配信先蓄積部１０８は、記事配信先受付部１０９から入力された記事配信先情報を図５に示すデータ構成で記憶する。
【００３３】
記事配信先受付部１０９は、出力生成部１８から入力された閲覧者のユーザＩＤを配信者のユーザＩＤに含む記事配信先情報を、記事配信先蓄積部１０８から読み出す。また、記事配信先受付部１０９は、読み出した記事配信先情報を出力生成部１８へ出力する。また、記事配信先受付部１０９は、配信部１４から入力された投稿記事情報を記事配信先蓄積部１０８に記録する。
ここで、記事配信先情報とは、図５に示すように、「投稿ユーザＩＤ」、「記事ＩＤ」及び「配信ユーザＩＤ」項目を含む情報である。「投稿ユーザＩＤ」項目の情報は、投稿者のユーザＩＤを示す情報である。「記事ＩＤ」項目の情報は、記事ＩＤを示す情報である。「配信ユーザＩＤ」項目の情報は、投稿記事情報の配信対象となる閲覧者のユーザＩＤを示す情報である。
【００３４】
利用者情報蓄積部１１０は、電話発信システム１００におけるユーザ情報を記録する。ここで、ユーザ情報は、図４に示すように、「ユーザＩＤ」、「ユーザ表示名」、「パスワード」及び「通信サブシステムユーザＩＤ」という項目を含む情報である。「ユーザＩＤ」項目の情報は、投稿者及び閲覧者のユーザＩＤを示す情報である。「ユーザ表示名」の項目の情報は、投稿者及び閲覧者の固有名を示す情報である。「パスワード」の項目の情報は、投稿者及び閲覧者の認証するために用いる情報である。「通信サブシステムユーザＩＤ」の項目の情報は、投稿者及び閲覧者のアドレスを示す情報である。例えば、アドレスは、電話番号などである。
【００３５】
通信開始指示部１１２は、記事閲覧端末３ｂから通信開始要求情報を受信し、利用者情報蓄積部１１０から投稿者のアドレスと閲覧者のアドレスとを読み出す。また、通信開始指示部１１２は、通信指示情報を通信サブシステム５の通信開始指示受信部２００へ送信する。なお、通信指示情報は、記事情報キーワード、投稿者のユーザＩＤ、閲覧者のユーザＩＤ、閲覧者のアドレス及び投稿者のアドレスを含む情報である。
【００３６】
図９は、通信サブシステム５の内部構成及び投稿閲覧装置１との接続構成を示した概略ブロック図である。
通信サブシステム５は、投稿閲覧装置１の通信開始指示部１１２より通信指示情報を受信し、通信履歴情報を投稿閲覧装置１の通信履歴取得部１１１へ送信する。
通信開始指示受信部２００は、投稿閲覧装置１の通信開始指示部１１２から受信した通信指示情報に含まれる記事情報キーワード、閲覧者のアドレス及び投稿者のアドレスを通信履歴送信部２０１へ出力する。また、通信開始指示受信部２００は、閲覧者のアドレスと投稿者のアドレスをＳＩＰサーバ２０２（Session Initiation Protocol  サーバ)に出力する。
【００３７】
通信履歴送信部２０１は、ＳＩＰサーバ２０２から通信時間情報が入力される。また、通信履歴送信部２０１は、通信履歴情報を投稿閲覧装置１の通信履歴取得部１１１へ送信する。ここで、通信履歴情報は、通信時間情報と、記事情報キーワードと、閲覧者のアドレスと、投稿者のアドレスとを含む情報である。
ＳＩＰサーバ２０２は、受信した閲覧者のアドレスと投稿者のアドレスに基づき通信を開始し、通信終了後に通信履歴送信部２０１へ通信時間情報を送信する。
【００３８】
次に、このように構成された本第１実施形態における電話発信システム１００の投稿閲覧装置１の動作について説明する。
最初に、記事発信端末３ａが投稿者の操作により投稿閲覧装置１を介して、記事情報を含む投稿記事情報を記事公開装置２に送信し、記事公開装置２が当該投稿記事情報を記憶し、ネットワーク４を介して当該投稿記事情報を公開するまでの動作を説明する。
図１０は、電話発信システム１００における記事情報を投稿する際の投稿閲覧装置１の動作を示すフローチャートである。
【００３９】
投稿閲覧装置１は、投稿者の操作により記事発信端末３ａから接続要求情報を受信すると、記事発信端末３ａを接続する。そして、投稿閲覧装置１は、記事情報の編集画面情報を記事発信端末３ａに送信し、記事発信端末３ａに編集画面情報を画面に表示させる（ステップＳ４０１）。投稿閲覧装置１の記事特徴抽出部１１は、記事発信端末３ａを介して投稿者の操作により入力された記事情報を受信する。（ステップＳ４０２）。
【００４０】
記事特徴抽出部１１は、受信した記事情報から、投稿者のユーザＩＤと、記事情報キーワードとを抽出する。例えば、記事情報キーワード抽出の方法としては、記事発信端末３ａに、記事情報キーワード入力フォーム情報を表示させておき、記事情報キーワード入力フォームを通じて投稿者の操作で、記事の特徴を示す情報が入力され、入力される記事の特徴を示す情報を含めて記事情報を生成する。記事特徴抽出部１１は、投稿者のユーザＩＤと、記事情報キーワードと、投稿する記事の内容を示す情報とを含む記事情報から、記事情報キーワードを読み取る、といった方法などがある。
【００４１】
記事特徴抽出部１１は、抽出した投稿者のユーザＩＤと記事情報キーワードを関係情報取得部１２へ出力する（ステップＳ４０３）。関係情報取得部１２は、入力された投稿者のユーザＩＤと記事情報キーワードを関係情報受付部１０７へ出力する。関係情報受付部１０７は、関係情報取得部１２から入力された投稿者のユーザＩＤ（例えば、図３（ａ）に示す「ｂｂｂｂ」）と記事情報キーワード（例えば、図３（ａ）に示す「野球」）とを用いて、対応する閲覧者のユーザＩＤ（例えば、図３（ａ）に示す「ａａａａ」）を関係情報蓄積部１０６から読み出す。関係情報受付部１０７は、読み出した閲覧者のユーザＩＤを配信先候補情報として、配信先表示部１３へ出力する。（ステップＳ４０４）。
【００４２】
配信先表示部１３は、関係情報受付部１０７から受信した配信先候補情報（例えば、「ａａａａ」）を用いて、利用者情報蓄積部１１０から対応する配信先ユーザ名（例えば、図４に示す「ええええ」）を読み出す。配信先表示部１３は、入力された配信先候補情報と、読み出した配信先ユーザ名とを含む配信先選択フォーム情報を生成する。配信先表示部１３は、生成した配信先選択フォームを記事発信端末３ａに送信し、記事発信端末３ａに表示させる。（ステップＳ４０５）
【００４３】
配信部１４は、記事発信端末３ａにおいて投稿者の操作により配信先選択フォームにて選択された配信先ユーザＩＤを示す配信先情報と、投稿者のユーザＩＤと、記事情報とを受信する。（ステップＳ４０６）。配信部１４は、記事発信端末３ａから受信した投稿者のユーザＩＤと投稿日時とから、一意に識別できる記事ＩＤ（例えば、図５に示す「ｘ２ｘ０ｘ０ｘ７ｘ０ｘ７ｘ０ｘ７ｘ０ｘ７ｘ０ｘ」）を生成する（ステップＳ４０７）。配信部１４は、生成した記事ＩＤと、投稿者のユーザＩＤと、配信先情報とを含む記事配信情報を記事配信先受付部１０９へ出力する。記事配信先受付部１０９は、受信した記事配信情報を記事配信先蓄積部１０８に記録する（ステップＳ４０８）。
配信部１４は、生成した記事ＩＤと、記事発信端末３ａから受信した記事情報とを含む投稿記事情報を投稿部１５へ送信する。投稿部１５は、受信した投稿記事情報を記事公開装置２へ送信し、記録させる。（ステップＳ４０９）。
【００４４】
上記動作により、投稿閲覧装置１が、投稿者の操作により記事発信端末３ａを介して記事情報を受信し、受信した記事情報を含む投稿記事情報を、記事公開装置２へ送信する。記事公開装置２は、受信した投稿記事情報を記憶する。そして、記事閲覧端末３ｂは、ネットワーク４上を通じて、記事公開装置２に記憶された投稿記事情報を、受信できる。つまり、投稿記事情報に含まれる記事情報が公開されている状態となる。
【００４５】
次いで、記事閲覧端末３ｂが、閲覧者の操作により投稿記事情報閲覧の要求情報を投稿閲覧装置１へ送信し、記事閲覧端末３ｂに投稿記事情報と、通信開始ボタンとを表示する際の動作を説明する。
記事取得部１６は、定期的に、もしくは記事発信端末３ａ又は記事閲覧端末３ｂからの要求を受信した場合、記事蓄積部１７に予め記録されている取得対象情報から、ＲＳＳのＵＲＬを読み出す。記事取得部１６は、読み出したＲＳＳのＵＲＬを用いて、記事公開装置２へ投稿記事情報を要求する情報を発信し、記事公開装置２から当該投稿記事情報を受信する。記事取得部１６は、受信した投稿記事情報を記事蓄積部１７へ取得記事情報として記録する。これにより、記事蓄積部１７は、記事公開装置２の記憶する投稿記事情報を、図６（ｂ）に示す取得記事情報として記憶する。以下、記事蓄積部１７は、取得記事情報を記憶している状態として、説明する。
【００４６】
図１１は、記事投稿閲覧装置１が、閲覧者の操作により投稿記事情報閲覧の要求情報を、記事閲覧端末３ｂから受信し、投稿記事情報と通信開始ボタンとを含む画面出力データを、記事閲覧端末３ｂへ送信する際の動作を示すフローチャートである。
記事閲覧端末３ｂは、定期的に、もしくは閲覧者の要求を受信した場合、閲覧者のユーザＩＤを含む閲覧要求情報を投稿閲覧装置１の閲覧画面表示部１９へ送信する（ステップＳ５０１）。閲覧画面表示部１９は、記事閲覧端末３ｂから受信した閲覧要求情報に含まれる閲覧者のユーザＩＤを出力生成部１８へ出力する。出力生成部１８は、閲覧画面表示部１９から入力された閲覧者のユーザＩＤを記事配信先受付部１０９へ出力する。記事配信先受付部１０９は、出力生成部１８から入力された閲覧者のユーザＩＤを含む記事配信先情報を、記事配信先蓄積部１０８から読み出す。記事配信先受付部１０９は、読み出した記事配信先情報に含まれる記事ＩＤを出力生成部１８へ出力する（ステップＳ５０２）。
【００４７】
出力生成部１８は、記事配信先受付部１０９から入力された記事ＩＤに一致する投稿記事情報を、記事蓄積部１７から読み出す。（ステップＳ５０３）。出力生成部１８は、読み出した投稿記事情報を用いて画面出力用データを生成する（ステップＳ５０４）。当該画面出力用データは、通信サブシステム５を介した投稿者の記事発信端末３ａと閲覧者の記事閲覧端末３ｂ間の通信開始要求を含むボタンと、読み出した投稿記事情報と、配信先情報と、投稿記事情報と、記事情報キーワードとを含むデータである。記事閲覧端末３ｂは、出力生成部１８の生成した画面出力用データを、閲覧画面表示部１９を通じて受信し、通信開始ボタンを含む当該画面出力用データを表示する（ステップＳ５０５）。
【００４８】
次に、記事閲覧端末３ｂに表示された通信開始ボタンが、閲覧者の操作により選択され、通信サブシステム５を介した通信が終了するまでの動作を説明する。
図１２（ａ）は、通信サブシステム５を介した通信の開始から終了の際に、電話発信システム１００の投稿閲覧装置１がする動作を示すフローチャートである。
通信開始指示部１１２は、閲覧者の操作により記事閲覧端末３ｂ上に表示された通信開始ボタンが選択されると、記事閲覧端末３ｂから通信開始要求情報を受信する（ステップＳ６０１）。通信開始指示部１１２は、記事閲覧端末３ｂから受信した通信開始要求情報に含まれる投稿者及び閲覧者のユーザＩＤを用いて、投稿者及び閲覧者のアドレスを利用者情報蓄積部１１０から読み出す（ステップＳ６０２）。
【００４９】
通信開始指示部１１２は、記事閲覧端末３ｂから受信した通信開始要求情報に含まれる記事情報キーワードと、投稿者及び閲覧者のユーザＩＤと、読み出した投稿者及び閲覧者のアドレスを含む通信指示情報を、通信サブシステム５の通信開始指示受信部２００へ送信する（ステップＳ６０３）。通信履歴取得部１１１は、通信サブシステム５を介した通信が終了すると、通信サブシステム５の通信開始指示受信部２００から通信履歴情報を受信し、コミュニケーション履歴蓄積部１０４へ記録する（ステップＳ６０４）。
【００５０】
次に、通信サブシステム５を介した通信の開始から終了の際に、通信サブシステム５がする動作を説明する。
図１２（ｂ）は、通信サブシステム５を介した通信の開始から終了の際に、通信サブシステム５がする動作を示すフローチャートである。
通信サブシステム５の通信開始指示受信部２００は、投稿閲覧装置１の通信開始指示部１１２から通信指示情報を受信する（ステップＳ６１１）。通信開始指示受信部２００は、通信開始指示部１１２から受信した通信指示情報を、ＳＩＰサーバ２０２へ出力する。また、通信開始指示受信部２００は、入力された通信指示情報に含まれる投稿者のユーザＩＤ、閲覧者のユーザＩＤ及び記事情報キーワードを通信履歴送信部２０１へ出力する。ＳＩＰサーバ２０２は、通信開始指示受信部２００から入力された閲覧者のアドレスを発信者として、入力された投稿者のアドレスを着信者として、通信を開始する（ステップＳ６１２）。
【００５１】
通信サブシステム５を介した通信が終了すると、ＳＩＰサーバ２０２は、当該通信の通信時間の情報と、当該通信の通信開始日時の情報とを含む通信履歴送信部２０１に出力する。通信履歴送信部２０１は、通信開始指示受信部２００とＳＩＰサーバ２０２から入力された情報を通信履歴情報として投稿閲覧装置１へ送信する（ステップＳ６１３）。ここで、通信履歴情報は、通信開始指示受信部２００から入力された投稿者のユーザＩＤと、通信開始指示受信部２００から入力された閲覧者のユーザＩＤと、通信開始指示受信部２００から入力された記事情報キーワードと、ＳＩＰサーバ２０２から入力された通信時間情報と、ＳＩＰサーバ２０２から入力された通信開始日時情報とを含む情報である。
【００５２】
次いで、コミュニケーション履歴蓄積部１０４にある閲覧履歴情報、コメント履歴情報、トラックバック履歴情報及び通信履歴情報から関係情報を抽出する動作について説明する。
図１３は、関係情報抽出部１０５が行う関係情報を抽出する際のフローチャートである。
関係情報抽出部１０５は、コミュニケーション履歴蓄積部１０４の記憶する図８（ａ）に示す閲覧履歴情報より閲覧者のユーザＩＤ、閲覧記事投稿者のユーザＩＤ及び記事ＵＲＬを読み出す（ステップＳ７０１）。関係情報抽出部１０５は、読み出した記事ＵＲＬの投稿記事情報に含まれる記事情報キーワードを記事蓄積部１７から読み出す（ステップＳ７０２）。関係情報抽出部１０５は、閲覧者のユーザＩＤと、投稿者のユーザＩＤと、読み出した記事情報キーワードとを組合せた情報に、予め決められた数値を閲覧点情報として加える（ステップＳ７０３）。
【００５３】
また、関係情報抽出部１０５は、コミュニケーション履歴蓄積部１０４の記憶する図８（ｂ）に示すコメント履歴情報より、コメントユーザＩＤ（閲覧者のユーザＩＤ）、コメント先記事投稿ユーザＩＤ（投稿者のユーザＩＤ）及びコメント先記事ＵＲＬを読み出す（ステップＳ７１１）。関係情報抽出部１０５は、読み出したコメント先記事ＵＲＬの投稿記事情報に含まれる記事情報キーワードを記事蓄積部１７から読み出す（ステップＳ７１２）。関係情報抽出部１０５は、閲覧者のユーザＩＤと、投稿者のユーザＩＤと、読み出した記事情報キーワードとを組合せた情報に、予め決められた数値をコメント点情報として加える（ステップＳ７１３）。
【００５４】
また、関係情報抽出部１０５は、コミュニケーション履歴蓄積部１０４の記憶する図８（ｃ）に示すトラックバック履歴情報より、トラックバック元記事投稿ユーザＩＤ（閲覧者のユーザＩＤ）、トラックバック先記事投稿ユーザＩＤ（投稿者のユーザＩＤ）及びトラックバック先記事ＵＲＬを記事蓄積部１７から読み出す（ステップＳ７２１）。関係情報抽出部１０５は、取得したトラックバック先記事ＵＲＬの投稿記事情報に含まれる記事情報キーワードを記事蓄積部１７から読み出す（ステップＳ７２２）。閲覧者のユーザＩＤと、投稿者のユーザＩＤと、読み出した記事情報キーワードとを組合せた情報に、予め決められた数値をトラックバック点情報として加える（ステップＳ７２３）。
【００５５】
また、関係情報抽出部１０５は、コミュニケーション履歴蓄積部１０４の記憶する図８（ｄ）に示す通信履歴情報から発信ユーザＩＤ（閲覧者のユーザＩＤ）、着信ユーザＩＤ（投稿者のユーザＩＤ）、キーワード（記事情報キーワード）及び通信時間を読み出す（ステップＳ７３１）。関係情報抽出部１０５は、読み出した通信履歴情報に含まれる通信時間情報に予め定められた数値を乗算する（ステップＳ７３２）。関係情報抽出部１０５は、閲覧者のユーザＩＤと、投稿者のユーザＩＤと、記事情報キーワードとを組合せた情報に、乗算により算出された数値を通信点情報として加える（ステップＳ７３３）。
【００５６】
関係情報抽出部１０５は、上記ステップで得られた閲覧者のユーザＩＤ、投稿者のユーザＩＤ及び興味カテゴリを組合せた情報に加えた閲覧点情報と、コメント点情報と、トラックバック点情報と、通信点情報とを加算した数値を強さ情報とする（ステップＳ７４１）。関係情報抽出部１０５は、閲覧者のユーザＩＤ、投稿者のユーザＩＤ、興味カテゴリ及び強さ情報を組合せた情報を図３（ａ）に示す関係情報として、関係情報蓄積部１０６に記録する（ステップＳ７４２）。
【００５７】
次いで、コミュニケーション履歴蓄積部１０４に閲覧履歴情報、コメント履歴情報、トラックバック履歴情報及び通信履歴情報を記憶する動作を説明する。
閲覧履歴取得部１０１が、コミュニケーション履歴蓄積部１０４へ、閲覧履歴情報を記録する際の動作について説明する。
閲覧者の操作により記事閲覧端末３ｂが投稿記事情報を表示した場合、閲覧履歴取得部１０１が、コミュニケーション履歴蓄積部１０４に閲覧履歴情報を記録する際の動作（以下、第１閲覧記録動作という）を説明する。図１４（ａ）は、第１閲覧履歴記録動作を示すフローチャートである。なお、記事閲覧端末３ｂは、ステップＳ５０１からステップＳ５０５までの動作が行われ、投稿記事情報を表示している状態として、説明する。
閲覧履歴取得部１０１は、閲覧者の操作により表示された投稿記事情報の投稿者のユーザＩＤ及び記事ＵＲＬと、閲覧者のユーザＩＤとを含む閲覧履歴情報を記事閲覧端末３ｂから受信する（ステップＳ１０１０１）。閲覧履歴取得部１０１は、記事閲覧端末３ｂから受信した閲覧履歴情報をコミュニケーション履歴蓄積部１０４に記録する（ステップＳ１０１０２）。
【００５８】
また、閲覧履歴取得部１０１は、投稿者の操作により記事発信端末３ａから閲覧履歴記録の指示情報を受信した場合、コミュニケーション履歴蓄積部１０４へ閲覧履歴情報を記録する際の動作（以下、第２閲覧履歴記録動作という）を説明する。図１４（ｂ）は、第２閲覧履歴記録動作を示すフローチャートである。
閲覧履歴取得部１０１は、投稿者の操作により記事発信端末３ａから、閲覧履歴記録の指示情報を、受信する（ステップＳ１０１１１）。閲覧履歴取得部１０１は、記事発信端末３ａから当該指示情報を受信すると、記事公開装置２へ閲覧履歴情報の要求情報を送信し、当該閲覧履歴情報を受信する（ステップＳ１０１１２）。閲覧履歴取得部１０１は、受信した閲覧履歴情報をコミュニケーション履歴蓄積部１０４へ記録する（ステップＳ１０１１３）。
【００５９】
また、閲覧履歴取得部１０１は、閲覧者の操作により記事閲覧端末３ｂから、閲覧履歴記録の指示情報を受信した場合、コミュニケーション履歴蓄積部１０４へ閲覧履歴情報を記録する際の動作（以下、第３閲覧履歴記録動作という）を説明する。図１４（ｃ）は、第３履歴記録動作を示すフローチャートである。
閲覧履歴取得部１０１は、閲覧者の操作により記事閲覧端末３ｂから、閲覧履歴記録の指示情報を、受信する（ステップＳ１０１２１）。閲覧履歴取得部１０１は、記事閲覧端末３ｂから当該指示情報を受信すると、記事公開装置２へ閲覧履歴情報の要求情報を送信し、当該閲覧履歴情報を受信する（ステップＳ１０１２２）。閲覧履歴取得部１０１は、受信した閲覧履歴情報をコミュニケーション履歴蓄積部１０４へ記録する（ステップＳ１０１２３）。
【００６０】
また、閲覧履歴取得部１０１が、定期的に、コミュニケーション履歴蓄積部１０４に閲覧履歴情報を記録する際の動作（以下、第４閲覧履歴記録動作という）を説明する。図１４（ｄ）は、第４閲覧履歴記録動作を示すフローチャートである。
閲覧履歴取得部１０１は、定期的に、記事公開装置２へ閲覧履歴情報の要求情報を送信し、当該閲覧履歴情報を受信する（ステップＳ１０１３１）。例えば、閲覧履歴取得部１０１が、タイマーを備えて、当該タイマーの満了に応じて、閲覧履歴情報の要求情報を記事公開装置２へ送信し、当該閲覧履歴情報を受信する、といった定期的に動作する方法などがある。閲覧履歴取得部１０１は、受信した閲覧履歴情報を、コミュニケーション履歴蓄積部１０４へ記録する（ステップＳ１０１３２）。
【００６１】
閲覧履歴取得部１０１は、第１閲覧履歴記録動作、第２閲覧履歴記録動作、第３閲覧履歴記録動作、もしくは第４閲覧履歴記録動作を行う、あるいは複数の前記動作を行う。
以上により、閲覧履歴取得部１０１は、コミュニケーション履歴蓄積部１０４の閲覧履歴情報を更新する。
【００６２】
次に、コメント履歴取得部１０２が、コミュニケーション履歴蓄積部１０４へコメント履歴情報を記録する際の動作を説明する。
コメント履歴取得部１０２が、投稿者の操作により記事発信端末３ａから、コメント履歴記録の指示情報を受信した場合、コミュニケーション履歴蓄積部１０４へコメント履歴情報を記録する際の動作（以下、第１コメント履歴記録動作という）を説明する。図１５（ａ）は、第１コメント履歴記録動作を示したフローチャートである。
コメント履歴取得部１０２は、投稿者の操作により記事発信端末３ａから、コメント履歴記録の指示情報を受信する（ステップＳ１０２０１）。コメント履歴取得部１０２は、記事発信端末３ａからコメント履歴記録の指示情報を受信すると、記事公開装置２へコメント履歴情報の要求情報を送信し、当該コメント履歴情報を受信する（ステップＳ１０２０２）。コメント履歴取得部１０２は、受信したコメント履歴情報をコミュニケーション履歴蓄積部１０４へ記録する（ステップＳ１０２０３）。
【００６３】
また、コメント履歴取得部１０２は、閲覧者の操作により記事閲覧端末３ｂから、コメント履歴記録の指示情報を受信した場合、コメント履歴取得部１０２が、コミュニケーション履歴蓄積部１０４へコメント履歴情報を記録する動作（以下、第２コメント履歴記録動作という）を説明する。図１５（ｂ）は、第２コメント履歴記録動作を示したフローチャートである。
コメント履歴取得部１０２は、閲覧者の操作により記事閲覧端末３ｂから、コメント履歴記録の指示情報を受信する（ステップＳ１０２１１）。コメント履歴取得部１０２は、記事閲覧端末３ｂからコメント履歴記録の指示情報を受信すると、記事公開装置２へコメント履歴情報の要求情報を送信し、当該コメント履歴情報を受信する（ステップＳ１０２１２）。コメント履歴取得部１０２は、受信したコメント履歴をコミュニケーション履歴蓄積部１０４へ記録する（ステップＳ１０２１３）。
【００６４】
また、コメント履歴取得部１０２が、定期的に、コミュニケーション履歴蓄積部１０４にコメント履歴情報を記録する際の動作（以下、第３コメント履歴記録動作という）、を説明する。図１５（ｃ）は第３コメント履歴記録動作を示したフローチャートである。コメント履歴取得部１０２は、定期的に、記事公開装置２へコメント履歴情報の要求情報を送信し、当該コメント履歴情報を受信する（ステップＳ１０２２１）。例えば、コメント履歴取得部１０２が、タイマーを備えて、当該タイマーの満了に応じて、記事公開装置２へコメント履歴情報を要求する情報を送信し、当該コメント履歴情報を受信する、といった定期的に動作する方法などがある。コメント履歴取得部１０２は、受信したコメント履歴情報を、コミュニケーション履歴蓄積部１０４へ記録する（ステップＳ１０２２２）。
コメント履歴取得部１０２は、第１コメント履歴記録動作、第２コメント履歴記録動作もしくは第３コメント履歴記録動作を行う、あるいは複数の前記動作を行う。以上により、コメント履歴取得部１０２は、コミュニケーション履歴蓄積部１０４へコメント履歴情報を記録する。
【００６５】
次に、トラックバック履歴取得部１０３が、コミュニケーション履歴蓄積部１０４へトラックバック履歴情報を記録する際の動作を説明する。
トラックバック履歴取得部１０３が、投稿者の操作により記事発信端末３ａから、トラックバック履歴記録の指示情報を受信した場合、コミュニケーション履歴蓄積部１０４へトラックバック履歴情報を記録する際の動作（以下、第１トラックバック履歴記録動作という）説明する。図１６（ａ）は、第１トラックバック履歴記録動作を示したフローチャートである。
トラックバック履歴取得部１０３は、投稿者の操作により記事発信端末３ａから、トラックバック履歴記録の指示情報を受信する（ステップＳ１０３０１）。トラックバック履歴取得部１０３は、記事発信端末３ａからトラックバック履歴記録の指示情報を受信すると、記事公開装置２へトラックバック履歴情報の要求情報を送信し、当該トラックバック履歴情報を受信する（ステップＳ１０３０２）。トラックバック履歴取得部１０３は、受信したトラックバック履歴情報をコミュニケーション履歴蓄積部１０４へ記録する（ステップＳ１０３０３）。
【００６６】
また、トラックバック履歴取得部１０３は、閲覧者の操作により記事閲覧端末３ｂから、トラックバック履歴記録の指示情報を受信した場合、トラックバック履歴取得部１０３が、コミュニケーション履歴蓄積部１０４へトラックバック履歴情報を記録する際の動作（以下、第２トラックバック履歴記録動作という）を説明する。図１６（ｂ）は、第２トラックバック履歴記録動作を示したフローチャートである。
トラックバック履歴取得部１０３は、閲覧者の操作により記事閲覧端末３ｂから、トラックバック履歴記録の指示情報を受信する（ステップＳ１０３１１）。トラックバック履歴取得部１０３は、記事閲覧端末３ｂからトラックバック履歴記録の指示情報を受信すると、記事公開装置２へトラックバック履歴情報の要求情報を送信し、当該トラックバック履歴情報を受信する（ステップＳ１０３１２）。トラックバック履歴取得部１０３は、受信したトラックバック履歴情報をコミュニケーション履歴蓄積部１０４へ記録する（ステップＳ１０３１３）。
【００６７】
また、トラックバック履歴取得部１０３が、定期的に、コミュニケーション履歴蓄積部１０４にトラックバック履歴情報を記録する際の動作（以下、第３トラックバック履歴記録動作という）、を説明する。図１６（ｃ）は、第３トラックバック履歴記録動作を示したフローチャートである。
トラックバック履歴取得部１０３は、定期的に、記事公開装置２へトラックバック履歴情報の要求情報を送信し、当該トラックバック履歴情報を受信する（ステップＳ１０３２１）。例えば、トラックバック履歴取得部１０３が、タイマーを備えて、当該タイマーの満了に応じて、記事公開装置２へトラックバック履歴情報の要求情報を送信し、当該トラックバック履歴情報を受信する、といった定期的に動作する方法などがある。トラックバック履歴取得部１０３は、受信したトラックバック履歴情報をコミュニケーション履歴蓄積部１０４へ記録する（ステップＳ１０３２２）。
【００６８】
トラックバック履歴取得部１０３は、第１トラックバック履歴記録動作、第２トラックバック履歴記録動作、もしくは第３トラックバック履歴記録動作を行う、あるいは複数の前記動作を行う。以上により、トラックバック履歴取得部１０３は、トラックバック履歴情報をコミュニケーション履歴蓄積部１０４へ記録する。
【００６９】
次に、通信履歴取得部１１１が、コミュニケーション履歴蓄積部１０４へ通信履歴情報を記録する際の動作を説明する。
図１７は、通信履歴取得部１１１が、コミュニケーション履歴蓄積部１０４へ通信履歴情報を記録する際の動作を示したフローチャートである。
通信履歴取得部１１１は、通信サブシステム５を介した投稿者の記事発信端末３ａと閲覧者の記事閲覧端末３ｂ間の通信が終了すると、通信サブシステム５の通信履歴送信部２０１から、通信履歴情報を受信する（ステップＳ１１１０１）。通信履歴取得部１１１は、受信した通信履歴情報をコミュニケーション履歴蓄積部１０４に記録する（ステップＳ１１１０２）。以上により、通信履歴取得部１１１は、通信履歴情報をコミュニケーション履歴蓄積部１０４に記録する。
【００７０】
以上により、上述した第１実施形態における電話発信システム１００によれば、投稿者の操作により記事発信端末３ａから記事情報を送信する場合、記事情報から抽出される投稿者のユーザＩＤと記事情報キーワードに基づいて、配信先を選択することができる。そして、選択された配信先にのみ、通信サブシステム５における通信開始要求情報と、投稿記事情報とを含む情報を配信し、それ以外の配信先には投稿記事情報のみを配信する。その結果、ある特定の閲覧者のみが、配信される情報を介して、通信サブシステム５における通信を開始することができ、不要な通信を行う機会を制限できる。
また、投稿者と閲覧者とのコミュニケーション履歴情報に基づいて関係情報が抽出されることから、投稿者と閲覧者との興味の共通性に基づく関係を簡易かつ確実に抽出することができる。関係情報に基づき、閲覧者の興味に該当する投稿記事情報を、配信することができる。
【００７１】
また、コミュニケーション履歴情報として、閲覧履歴情報、コメント履歴情報、トラックバック履歴情報及び通信履歴情報を利用していることから、投稿者と閲覧者との興味の共通性に基づく関係を評価することができる。
また、関係情報取得部１２が、投稿者のユーザＩＤと記事情報キーワードに基づいて、閲覧者のユーザＩＤを抽出することから、配信先候補情報を確実に取得することができる。
また、利用者情報蓄積部１１０に、投稿閲覧装置１のユーザＩＤと、通信サブシステム５のアドレスとの対応関係を記憶させておくことで、閲覧者に投稿者のアドレスを意識させずに、通信サブシステム５を介した通信開始を提供することができる。
【００７２】
上述した、また、出力生成部１８は、記事ＩＤが一致する取得記事情報を記事蓄積部１７から読み出すとしたが、これに限られることなく、記事ＩＤが一致しない記事を読み出すようにしてもよい。この場合、記事ＩＤが一致したときのみに、通信開始ボタンの情報を画面出力データに含め、閲覧画面表示部１９に出力することになる。
【００７３】
また、出力生成部１８は、記事配信先受付部１０９から入力された記事ＩＤを用いて、記事蓄積部１７から取得記事情報を読み出すとしたが、記事蓄積部１７の記憶している取得記事情報のリスト情報を読み出すようにしてもよい。例えば、リスト情報は、取得記事情報に含まれる「記事タイトル」と、「キーワード」と、「著者」と、「記事ＩＤ」とを一つの項目とする情報の集合情報である。この場合、出力生成部１８は、記事配信先受付部１０９から入力された記事ＩＤと当該リスト情報の項目の記事ＩＤが一致した項目には、通信開始のボタンの情報を加え、それ以外の項目には通信開始のボタンの情報を加えない、という動作をすることになる。また、出力生成部１８は、当該動作を施した情報を出力画面データとして出力することになる。
【００７４】
また、出力生成部１８は、閲覧者のユーザＩＤを用いて記事蓄積部１７から取得記事情報を読み出すとしたが、閲覧者の操作により記事閲覧端末３ｂから記事ＩＤを含む記事閲覧の要求を、閲覧画面表示部１９を介して受信し、受信した記事ＩＤを用いて出力画面データを生成するようにしてもよい。この場合、当該記事ＩＤが記事配信先受付部１０９から入力された記事ＩＤと一致するとき、通信開始のボタンの情報を含め出力画面データを生成し、それ以外のとき、通信開始のボタンの情報の情報を含めない出力画面データを生成することになる。
【００７５】
また、記事閲覧端末３ｂを介した操作において、閲覧者のユーザＩＤと認証手段（例えば、パスワードとユーザＩＤとを受信し、受信した情報が利用者情報蓄積部１１０の記憶する情報と一致するか否か判断する）とを用いて、認証済みのユーザのみが閲覧できるようにしてもよい。
【実施例２】
【００７６】
（第２実施形態）
図１８は、第２実施形態における投稿閲覧装置１ａの内部構成と、記事公開装置２と記事発信端末３ａと記事閲覧端末３ｂと通信サブシステム５との接続構成とを示した概略ブロック図である。
第１実施形態と異なる点は、投稿者と閲覧者のコミュニケーション履歴情報を記憶せずに、予め投稿者及び閲覧者の関心事を示す情報（以下、興味カテゴリという）を記憶し、当該興味カテゴリを用いることで配信先の閲覧者を制限する点である。
なお、記事情報は、投稿者のユーザＩＤと、記事タイトルを示す情報と、記事内容を示す情報を含む情報である。
【００７７】
記事公開装置２は、記事発信端末３ａから受信した記事情報を記憶する。
記事発信端末３ａは、投稿閲覧装置１ａを介して、記事公開装置２へ、記事情報を送信し、記事公開装置２に記録する。また、記事発信端末３ａは、ユーザ情報をユーザ情報投入部１００１へ送信する。
記事閲覧端末３ｂは、ユーザ情報をユーザ情報投入部１００１へ送信する。また、記事閲覧端末３ｂは、取得対象情報を記事蓄積部１００３へ送信して記録する。また、記事閲覧端末３ｂは、記事表示要求情報を記事表示要求受信部１００６に送信する。また、記事閲覧端末３ｂは、通信開始要求情報を通信指示部１００８へ送信する。また、記事閲覧端末３ｂは、表示部１００７から出力画面データを受信し、当該出力画面データを表示する。また、記事閲覧端末３ｂは、通信開始ボタンの選択を閲覧者へ提供する。
通信サブシステム５は、通信指示部１００８から通信指示要求情報を受信し、当該通信指示要求情報により通信サブシステム５を介した通信を提供する。
【００７８】
ここで、ユーザ情報蓄積部１００２に記憶されるユーザ情報は、図１９に示すように、「ユーザＩＤ」、「パスワード」、「通信サブシステムユーザＩＤ」及び「興味カテゴリ」の項目を含む情報である。「ユーザＩＤ」項目の情報は、投稿者及び閲覧者のユーザＩＤを示す情報である。「パスワード」項目の情報は、投稿閲覧装置１ａにおける投稿者及び閲覧者のパスワードを示す情報である。「通信サブシステムユーザＩＤ」項目の情報は、投稿者及び閲覧者のアドレスを示す情報である。「興味カテゴリ」項目の情報は、投稿者及び閲覧者の興味を抱いていることを示す情報である。
また、ユーザ情報蓄積部１００２に記憶されるカテゴリキーワード情報は、図２０に示すように、「カテゴリ」と「キーワード」を含む情報である。「カテゴリ」項目の情報は、記事の内容を分類する情報（例えば、図２０に示す「音楽」や「野球」）であり、「キーワード」は、「カテゴリ」に関連する言葉を示す情報（例えば、図２０に示す「ＣＤ」や「ライブ」）である。
【００７９】
また、記事蓄積部１００３に記憶される取得対象情報は、図２１に示すように、「ユーザＩＤ」、「ＲＳＳ−ＵＲＬ」、「タイトル」及び「ブログＵＲＬ」の項目を含む情報である。「ユーザＩＤ」項目の情報は、ユーザＩＤを示す情報である。「ＲＳＳ−ＵＲＬ」項目の情報は、記事公開装置２における記事情報ＲＳＳの場所を示す情報である。「タイトル」項目の情報は、当該ＲＳＳ−ＵＲＬを介して閲覧できる記事情報の総称を示す情報である。「ブログＵＲＬ」項目の情報は、記事公開装置２における記事情報の場所を示す情報である。
また、記事蓄積部１００３に記憶される取得記事情報は、図２２に示すように、「記事固定ＵＲＬ」、「記事タイトル」、「記事内容」、「日時」、「著者」及び「ＲＳＳ−ＵＲＬ」の項目を含む情報である。「記事固定ＵＲＬ」項目の情報は、記事公開装置２における記事情報の記録されている場所を示す情報である。「記事タイトル」項目の情報は、記事情報のタイトルを示す情報である。「記事内容」項目の情報は、記事情報の記事の内容を示す情報である。「日時」項目の情報は、記事情報の投稿された日時を示す情報である。「著者」項目の情報は、記事情報の投稿者のユーザＩＤを示す情報である。「ＲＳＳ−ＵＲＬ」項目の情報は、記事公開装置２における記事情報のＲＳＳの場所を示す情報である。
【００８０】
また、記事表示要求情報は、閲覧者のユーザＩＤを含む記事表示要求を示す情報である。
また、通信開始要求情報は、投稿者のユーザＩＤと、閲覧者のユーザＩＤとを含む通信サブシステム５を介した通信開始の要求を示す情報である。
また、通信指示要求情報は、取得記事情報の投稿者及び閲覧者のアドレスを含む通信サブシステム５を介した通信開始の要求を示す情報である。
また、通信開始ボタンは、通信サブシステム５に介した投稿者の記事発信端末３ａと閲覧者の記事閲覧端末３ｂ間の通信開始要求を選択できるボタンである。
【００８１】
ユーザ情報投入部１００１は、記事発信端末３ａと、記事閲覧端末３ｂとからユーザ情報を受信する。また、ユーザ情報投入部１００１は、取得したユーザ情報をユーザ情報蓄積部１００２に記録する。また、ユーザ情報投入部１００１は、記事発信端末３ａと、記事閲覧端末３ｂとから閲覧者が閲覧を希望する記事情報に関するキーワード（以下、興味キーワードという）を受信する。また、ユーザ情報投入部１００１は、カテゴリキーワード情報をユーザ情報蓄積部１００２に記録する。
【００８２】
出力画面生成部１００４は、記事表示要求受信部１００６から入力された閲覧者のユーザＩＤを用いて、ユーザ情報蓄積部１００２からユーザ情報を読み出す。出力画面生成部１００４は、読み出したユーザ情報を用いて、記事蓄積部１００３から取得記事を読み出す。また、出力画面生成部１００４は、記事表示要求受信部１００６から入力された閲覧者のユーザＩＤと、ユーザ情報蓄積部１００２から読み出したユーザ情報と、記事蓄積部１００３から読み出した記事情報とを用いて、出力画面データを生成する。また、出力画面生成部１００４は、生成した出力画面データを表示部１００７に送信する。
記事取得部１００５は、記事公開装置２へ記事情報の要求情報を送信し、当該記事情報を受信する。記事取得部１００５は、記事公開装置２から受信した記事情報を、取得記事情報として記事蓄積部１００３に記録する。
記事表示要求受信部１００６は、記事閲覧端末３ｂから受信した閲覧者のユーザＩＤを含む閲覧要求を出力画面生成部１００４へ出力する。
表示部１００７は、受信した出力画面データを記事閲覧端末３ｂへ送信し表示する。
【００８３】
以下、投稿閲覧装置１ａの動作の説明をする。
記事蓄積部１００３が、記事情報を記憶する際の動作を説明する。
記事取得部１００５は、定期的もしくは、閲覧者の操作により記事閲覧端末３ｂから記事情報の要求情報を受信し、記事蓄積部１００３に記録されている取得対象情報のＲＳＳ−ＵＲＬを読み出す。記事取得部１００５は、読み出したＲＳＳ−ＵＲＬを用いて、記事公開装置２へ記事情報の要求情報を送信し、当該記事情報を受信し、記事蓄積部１００３へ取得記事情報として記録する。
以上により、記事蓄積部１００３は、記事取得部１００５を通じて記事公開装置２の記憶する記事情報を、取得記事情報として記憶する。
【００８４】
記事閲覧端末３ｂから記事情報の要求情報を受信し、記事閲覧端末３ｂに通信開始ボタンが表示される際の投稿閲覧装置１ａの動作を説明する。
図２３は、記事閲覧端末３ｂの閲覧要求から、通信開始ボタンが表示される際の投稿閲覧装置１ａの動作を示すフローチャートである。
なお、ユーザ情報蓄積部１００２は、記事発信端末３ａ及び記事閲覧端末３ｂから受信したユーザ情報を記憶しているものとする。また、記事蓄積部１００３は、取得対象情報及び取得記事情報を記憶しているものとする。
記事閲覧端末３ｂは、閲覧者のユーザＩＤを含んだ記事情報の要求情報を、記事表示要求受信部１００６へ送信する（ステップＳ８０１）。記事表示要求受信部１００６は、記事閲覧端末３ｂから受信した閲覧者のユーザＩＤを、出力画面生成部１００４へ出力する（ステップＳ８０２）。
【００８５】
出力画面生成部１００４は、記事表示要求受信部１００６から入力された閲覧者のユーザＩＤを用いて、ユーザ情報蓄積部１００２から興味カテゴリを読み出す。出力画面生成部１００４は、ユーザ情報蓄積部１００２から読み出した興味カテゴリを用いて、ユーザ情報蓄積部１００２のカテゴリキーワード情報から興味キーワードを読み出す（ステップＳ８０３）。出力画面生成部１００４は、ユーザ情報蓄積部１００２から読み出した興味キーワードを含む取得記事情報を、記事蓄積部１００３から取得記事情報を読み出す。（ステップＳ８０４）。ステップＳ８０４において、出力画面生成部１００４は、閲覧者の関心事を含む取得記事情報のみを選択している。出力画面生成部１００４は、記事蓄積部１００３から読み出した取得記事情報を用いて、通信開始ボタンの情報を含めた出力画面データを生成する。出力画面生成部１００４は、表示部１００７を通じて記事閲覧端末３ｂへ、生成した出力画面データを送信する（ステップＳ８０５）。記事閲覧端末３ｂは、受信した出力画面データを表示する。
以上により、記事閲覧端末３ｂに閲覧者の関心事を含む記事情報と通信開始ボタンとを含む情報を表示する。
【００８６】
次いで、記事閲覧端末３ｂに表示された通信開始ボタンが選択され、通信サブシステム５上で通信が行われる際の動作を説明する。
閲覧者により、記事閲覧端末３ｂに表示された通信開始ボタンが選択されると、記事閲覧端末３ｂは、通信開始要求情報を通信指示部１００８へ送信する。通信指示部１００８は、受信した通信開始要求情報を用いて、通信サブシステム５に通信指示要求情報を送信し、通信は開始される。このとき、取得記事情報に含まれる投稿者のアドレスを着信者として、閲覧者のアドレスを発信者とする。
【００８７】
以上より、上述した第２実施形態における電話発信システム１００によれば、予め閲覧者によりユーザ情報蓄積部１００２に記録された興味カテゴリを用いて、記事情報の配信先となる閲覧者を制限する。これにより、同じ興味を持つ投稿者と閲覧者間のみに通信サブシステム５を介した通信の機会が提供され、不要な通信を行う機会を制限することができる。
また、閲覧者の操作により、記事閲覧端末３ｂを介して、閲覧者の興味情報をユーザ情報蓄積部１００２に記録しておくことにより、閲覧者の興味に基づき、記事情報を配信することができる。
また、投稿者の操作により、記事発信端末３ａを介して、投稿者の興味情報をユーザ情報蓄積部１００２に記録しておくことにより、投稿者の興味に基づき、記事情報を配信することができる。
また、記事蓄積部１００３に、カテゴリキーワード情報を記録しておくことで、様々なキーワード情報から、閲覧者の興味を含む記事情報を選択し、配信することができる。
また、ユーザ情報蓄積部１００２に、ユーザ情報を記録しておくことで、閲覧者に投稿者のアドレスを意識させずに、通信サブシステム５を介した通信を開始させることができる。
【００８８】
上述した、第２実施形態においては、出力画面生成部１００４は、記事ＩＤが一致する記事情報を記事蓄積部１００３から読み出すとしたが、これに限ることなく、記事ＩＤが一致しない記事を読み出してもよい。この場合、記事ＩＤが一致したときのみに、通信開始ボタンの情報を画面出力データに含め、表示部１００７に出力するようする。
また、閲覧者の操作による記事閲覧端末３ｂからの表示要求を含む情報の送信により、記事情報を表示するとしたが、閲覧者を配信対象とする記事情報が記事蓄積部１００３に記録されたときに、記事閲覧端末３ｂに記事情報を表示するようにしてもよい。
【００８９】
また、出力画面生成部１００４は、ユーザ情報蓄積部１００２から読み出した興味キーワードを含む取得記事情報を、記事蓄積部１００３から読み出すとしたが、記事蓄積部１００３の記憶する取得記事情報のリスト情報を読み出すようにしてもよい。例えば、当該リスト情報は、「記事タイトル」と、「著者」と、「興味キーワード」と、「記事固定ＵＲＬ」とを一つの項目とする情報の集合情報である。この場合、出力画面生成部１００４は、ユーザ情報蓄積部１００２から読み出した興味キーワードを含む取得記事情報の項目を示す情報に通信開始ボタンの情報を加え、含まない項目を示す情報には通信開始ボタンの情報を加えない、という動作することになる。また、出力画面生成部１００４は、当該動作を施した情報を出力画面データとして出力することになる。
【００９０】
また、出力画面生成部１００４は、興味キーワードを含む取得記事情報を、記事蓄積部１００３から読み出すとしたが、閲覧ユーザの操作により記事閲覧端末３ｂから記事固定ＵＲＬを含む記事閲覧の要求を、記事表示要求受信部１００６を介して受信し、受信した記事固定ＵＲＬを含む取得記事情報を、記事蓄積部１００３から読み出すようにしてもよい。この場合、読み出した取得記事情報にユーザ情報蓄積部１００２から入力された興味キーワードが含まれるとき、出力画面生成部１００４は、通信開始ボタンの情報を含む出力画面データを生成し、それ以外のとき、通信開始のボタンの情報の情報を含めない出力画面データを生成することになる。
【００９１】
また、記事閲覧端末３ｂを介した操作において、閲覧者のユーザＩＤと認証手段（例えば、パスワードとユーザＩＤとを受信し、受信した情報がユーザ情報蓄積部１００２の記憶する情報と一致するか否か判断する）とを用いて、認証済みの閲覧者のみが閲覧できるようにしてもよい。
上述の第１実施形態及び第２実施形態においては、記事発信端末３ａ、記事閲覧端末３ｂを独立して設けたが、両端末の機能を備えた端末を設けてもよく、それぞれが投稿用又は閲覧用の端末として構成されるようにしてもよい。
また、記事公開装置２を、投稿閲覧装置１及び投稿閲覧装置１ａとは別個に設けているが、投稿閲覧装置１及び投稿閲覧装置１ａが記事公開装置２を含む構成を用いるようにしてもよい。
また、記事閲覧端末３ｂの要求によらず、記事発信端末３ａから記事情報が投稿されることで、閲覧画面表示部１９及び記事表示要求受信部１００６へ閲覧要求が送信され、記事閲覧端末３ｂの表示が行われるようにしてもよい。
また、投稿者及び閲覧者を識別するユーザＩＤ用いずに、ＩＰアドレスを用いるようにしてもよい。
また、記事発信端末３ａ及び記事閲覧端末３ｂの通信サブシステム５を介して行う通信は、投稿者及び閲覧者の所有する通信サブシステム５に接続された別端末を用いて通信を行うようにしてもよい。
【００９２】
なお、本発明に記載の出力生成部は、出力生成部１８と出力画面生成部１００４に対応する。また、閲覧画面表示部は、閲覧画面表示部１９と表示部１００７に対応する。また、通信開始指示部は、通信開始指示部１１２と通信指示部１００８に対応する。
また、本発明の技術範囲は上述の第１実施形態及び第２実施形態に限定されるものではなく、本発明の趣旨を逸脱しない範囲において、種々の変更を加えることが可能である。
【００９３】
また、投稿閲覧装置１及び投稿閲覧装置１ａの機能を実現するためのプログラムをコンピュータ読み取り可能な記録媒体に記録して、この記録媒体に記録されたプログラムをコンピュータシステムに読み込ませ、実行することにより、投稿閲覧装置１及び投稿閲覧装置１ａが行う処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００９５】
【図１】本発明に係る電話発信システムの第１実施形態および第２実施形態による電話発信システムを示すシステム構成図である。
【図２】同第１実施形態における投稿閲覧装置の内部構成と、記事公開装置２と記事発信端末３ａと記事閲覧端末３ｂと通信サブシステム５との接続構成とを示した概略ブロック図である。
【図３】同第１実施形態における図２の関係情報蓄積部が記憶している関係情報のデータ構成図及び関係情報の有向グラフ例である。
【図４】同第１実施形態における図２の利用者情報蓄積部１１０が記憶しているユーザ情報のデータ構成図である。
【図５】同第１実施形態における図２の記事配信先蓄積部１０８が記憶している記事配信先情報のデータ構成図である。
【図６】同第１実施形態における図２の記事蓄積部１７が記憶している取得対象情報と、取得記事情報とのデータ構成図である。
【図７】同第１実施形態における記事閲覧端末３ａの表示画面例である。
【図８】同第１実施形態における図２のコミュニケーション履歴蓄積部１０４が記憶している閲覧履歴情報と、コメント履歴情報と、トラックバック履歴情報と、通信履歴情報とのデータ構成図である。
【図９】同第１実施形態における通信サブシステム５の内部構成と、投稿閲覧装置１との接続構成を示した概略ブロック図である。
【図１０】同第１実施形態における投稿者の操作により記事発信端末３ａから記事情報を発信し、記事公開装置２が受信し記録する際の投稿閲覧装置の動作を示すフローチャートである。
【図１１】同第１実施形態における閲覧者の操作により記事閲覧端末３ｂに記事情報を表示させる際の投稿閲覧装置１の動作を示すフローチャートである。
【図１２】同第１実施形態における閲覧者の操作により記事閲覧端末３ｂを介して通信サブシステム５で通信を行う際の投稿閲覧装置１の動作を示すフローチャートである。
【図１３】同第１実施形態における関係情報抽出部１０５が関係情報を抽出する際の動作を示すフローチャートである
【図１４】同第１実施形態におけるコミュニケーション履歴蓄積部１０４が閲覧履歴情報を記憶する際の動作を示したフローチャートである。
【図１５】同第１実施形態におけるコミュニケーション履歴蓄積部１０４がコメント履歴情報を記憶する際の動作を示したフローチャートである。
【図１６】同第１実施形態におけるコミュニケーション履歴蓄積部１０４がトラックバック履歴情報を記憶する際の動作を示したフローチャートである。
【図１７】同第１実施形態におけるコミュニケーション履歴蓄積部１０４が通信履歴情報を記憶する際の動作を示したフローチャートである。
【図１８】同第２実施形態における投稿閲覧装置１ａの内部構成と、記事公開装置２と記事発信端末３ａと記事閲覧端末３ｂと通信サブシステム５との接続構成とを示した概略ブロック図である。
【図１９】同第２実施形態におけるユーザ情報蓄積部１００１が記憶するユーザ情報のデータ構成図である。
【図２０】同第２実施形態におけるユーザ情報蓄積部１００２が記憶するカテゴリキーワード情報のデータ構成図である。
【図２１】同第２実施形態における記事蓄積部１００３が記憶する取得対象情報のデータ構成図である。
【図２２】同第２実施形態における記事蓄積部１００３が記憶する取得記事情報のデータ構成図である。
【図２３】同第２実施形態における閲覧者の操作により記事閲覧端末３ｂから記事閲覧の要求情報を受信してから、記事閲覧端末３ｂに通信開始ボタンを表示する際の投稿閲覧装置１ａの動作を示したフローチャートである。
【符号の説明】
【００９６】
１  投稿閲覧装置
２  記事公開装置
３ａ  記事発信端末
３ｂ  記事閲覧端末
４  ネットワーク
５  通信サブシステム
１１  記事特徴抽出部
１２  関係情報取得部
１３  配信先表示部
１４  配信部
１５  投稿部
１６  記事取得部
１７  記事蓄積部
１８  出力生成部
１９  閲覧画面表示部
１００  電話発信システム
１０１  閲覧履歴取得部
１０２  コメント履歴取得部
１０３  トラックバック履歴取得部
１０４  コミュニケーション履歴蓄積部
１０５  関係情報抽出部
１０６  関係情報蓄積部
１０７  関係情報受付部
１０８  記事配信先蓄積部
１０９  記事配信先受付部
１１０  利用者情報蓄積部
１１１  通信履歴取得部
１１２  通信開始指示部
２００  通信開始指示受信部
２０１  通信履歴送信部
２０２  ＳＩＰサーバ
【図１】
0004588063.tif 000002
【図２】
0004588063.tif 000003
【図３】
0004588063.tif 000004
【図４】
0004588063.tif 000005
【図５】
0004588063.tif 000006
【図６】
0004588063.tif 000007
【図７】
0004588063.tif 000008
【図８】
0004588063.tif 000009
【図９】
0004588063.tif 000010
【図１０】
0004588063.tif 000011
【図１１】
0004588063.tif 000012
【図１２】
0004588063.tif 000013
【図１３】
0004588063.tif 000014
【図１４】
0004588063.tif 000015
【図１５】
0004588063.tif 000016
【図１６】
0004588063.tif 000017
【図１７】
0004588063.tif 000018
【図１８】
0004588063.tif 000019
【図１９】
0004588063.tif 000020
【図２０】
0004588063.tif 000021
【図２１】
0004588063.tif 000022
【図２２】
0004588063.tif 000023
【図２３】
0004588063.tif 000024